(57)【特許請求の範囲】
【請求項１】
高周波信号が入力されるアンテナに接続された選局部と、この選局部の出力が接続された復調部と、この復調部の出力が接続された誤り訂正部と、この誤り訂正部の出力が接続された出力端子と、前記誤り訂正部の出力が接続されるとともに、前記誤り訂正部から出力される誤り率が予め定められた値以上か、以下かを判定する判定部と、この判定部の出力が接続されるとともに前記判定部の判定結果に基づいて、前記各部を制御する制御部とを備え、前記制御部は前記複数個ある各部のいずれかを選択的に制御して、前記判定部での誤り率を低下させる高周波信号受信装置において、前記複数個ある各部のうち、誤り率が安定状態になる速度の速いものから順次制御する高周波信号受信装置。
【請求項２】
制御部は、判定部が安定状態になったとする判定に基づいて各部を制御する請求項１記載の高周波信号受信装置。
【請求項３】
選局部はＰＬＬ回路を用いて選局されるとともに、前記ＰＬＬ回路のロック信号で安定状態を認識する請求項２記載の高周波信号受信装置。
【請求項４】
判定部は、予め定められた間隔で抜き出した誤り率のうち、前回抜き出した誤り率と、新たに抜き出した誤り率を比較して判定をする請求項２記載の高周波信号受信装置。
【請求項５】
各部の安定状態になるまでの時間を予めメモリに格納し、前記メモリに格納した時間が経過したら安定状態と判定する請求項２記載の高周波信号受信装置。
【請求項６】
各部の安定状態になるまでの時間のうち最長なものの時間が経過した時をもって安定状態と判定する請求項２記載の高周波信号受信装置。
【請求項７】
予め定められた量の制御を行った結果、誤り率が減少したら更に同方向に予め定められた量の制御を行い、予め定められた量の制御を行った結果、誤り率が増大したら逆方向に予め定められた量の制御を行う請求項１記載の高周波信号受信装置。
【請求項８】
アンテナと、このアンテナに接続される入力同調部を有し、この入力同調部と前記アンテナとはノイズが乗らない程度に近接して設けられた請求項１記載の高周波信号受信装置。
【請求項９】
アンテナに同調アンテナを用い、この同調アンテナを制御部で制御する請求項１記載の高周波信号受信装置。
【請求項１０】
同調アンテナと選局部との間に平衡・不平衡変換回路を挿入するとともに、この平衡・不平衡変換回路はノイズに影響されない程度に同調アンテナに近接して設けられた請求項９記載の高周波信号受信装置。
【請求項１１】
選局部は、デジタル放送を含む放送信号が供給される入力端子と、この入力端子の出力が供給されるとともにその利得を可変制御できる利得制御端子を有した高周波増幅器と、この高周波増幅器の出力がその一方の入力に供給されるとともに他方の入力には局部発振器の出力が供給されて規定の中間周波数へ変換する混合器とを備え、前記混合器の出力が供給されるとともに希望チャンネルを受信時にその希望チャンネルを略中心として予め定められた周波数帯域内の信号レベルを検出するピーク電力検出器を有し、このピーク電力検出器と前記利得制御端子との間に挿入されるとともに制御部の出力が供給される利得制御器を有し、前記ピーク電力検出器によって前記周波数帯域内に希望チャンネル信号のレベルより大きなレベルが検出され、この検出レベルによって前記高周波増幅器が歪むと判定された場合に、前記利得制御器が前記高周波増幅器の利得を小さくする方向へ制御する請求項１に記載の高周波信号受信装置。
【請求項１２】
混合器と復調部との間に挿入された中間周波増幅器と、この中間周波増幅器の利得を可変制御できる利得制御端子と、この制御端子とピーク電力検出器との間に挿入された利得制御器とを有し、予め定められた周波数帯域内に希望チャンネル信号の電力より大きなレベルの信号を前記ピーク電力検出器が検出した場合に、前記利得制御器は高周波増幅器による利得の減少分を補うように前記中間周波増幅器の利得を大きくする方向へ制御する請求項１１に記載の高周波信号受信装置。
【請求項１３】
混合器あるいは中間周波増幅器と復調部との間には、略１チャンネル分の周波数を通過させる狭帯域フィルタが挿入され、ピーク電力検出器の入力は、少なくとも前記狭帯域フィルタへ入力される信号より上流の信号が供給される請求項１２に記載の高周波信号受信装置。
【請求項１４】
入力端子に供給される放送信号は、アナログ放送信号の帯域内にデジタル放送信号が散在した放送信号とした請求項１１に記載の高周波信号受信装置。
【請求項１５】
ピーク電力検出器が検知するチャンネルは、希望チャンネル以外の信号が高周波増幅器の歪みにより受信希望チャンネルに妨害を発生するチャンネルとした請求項１１に記載の高周波信号受信装置。
【請求項１６】
ピーク電力検出器が予め定められた周波数帯域内に、前記受信希望チャンネルの信号以上の電力を検出しない場合、制御部は高周波増幅器の利得が大きくなる方向へ制御する請求項１に記載の高周波信号受信装置。
【請求項１７】
ピーク電力検出器の出力と利得制御器の入力の間には、前記ピーク電力検出器が予め定められた周波数範囲内において検出したピーク電力レベルと受信チャンネル信号の電力レベルとの誤差を演算する演算器が挿入され、前記利得制御器は、前記誤差に応じて利得を制御する請求項１１に記載の高周波信号受信装置。
【請求項１８】
制御部は、利得制御器の利得を制御してもビット誤り率が予め定められた値以下とならなかった場合には、前記制御を行う以前の利得に戻す請求項１１に記載の高周波信号受信装置。
【請求項１９】
混合器と復調部との間に挿入された中間周波増幅器と、選局部の上流に設けられるとともに少なくとも可変容量ダイオードとインダクタンスによって構成された入力同調部と、該可変容量ダイオードのカソード側に接続されるとともに制御部の出力が接続された制御端子とを有し、判定部が前記ビット誤り率を予め定められた値以上と判定した場合に、前記制御部は前記同調部の同調周波数を微小量変化させるとともに、高周波増幅器あるいは前記中間周波増幅器の利得を大きくする方向へ制御する請求項１１に記載の高周波信号受信装置。
【請求項２０】
ピーク電力検出器は、希望チャンネルの信号のレベルより大きなレベルの妨害信号を検知した場合に、その検知した信号の周波数が受信希望チャンネルの周波数よりも上側か、下側かの情報を前記制御部へ出力し、前記制御部は前記情報の示す方向とは逆方向へ同調部の同調周波数を変化させる請求項１１に記載の高周波信号受信装置。
【請求項２１】
利得制御器の入力は復調部の出力に接続され、この復調部は希望チャンネルの信号レベルを検出し、規定のレベルとの誤差信号を演算し、この誤差信号を前記利得制御器へ伝達する請求項１１に記載の高周波信号受信装置。
【請求項２２】
混合器あるいは復調部の出力が供給されるとともに、受信チャンネルの信号レベルを検出し、予め定められた値との誤差を算出するレベル検出器と、このレベル検出器の出力端子と高周波増幅器の利得制御端子との間に挿入して設けられた利得制御器とを備え、ピークレベル検出器が希望チャンネルの信号以上に大きな信号を検出しない場合には、前記利得制御器が前記誤差に応じて高周波増幅器の利得を制御する請求項１１に記載の高周波信号受信装置。
【請求項２３】
高周波増幅器の上流と混合器の下流にのみフィルタを有し、これらフィルタのうち混合器の下流に設けられたフィルタは、狭帯域フィルタとするとともに、ピーク電力検出器の入力は前記混合器と、前記狭帯域フィルタとの間から供給した請求項１１に記載の高周波信号受信装置。
【請求項２４】
ＲＦフィルタと高周波増幅器との間に挿入された不平衡・平衡変換回路と、混合器と狭帯域フィルタとの間に挿入された平衡・不平衡変換回路とを有し、少なくとも高周波増幅器と混合器と局部発振器とは平衡回路とするとともに、前記不平衡・平衡変換回路と平衡・不平衡変換回路との間の各回路間の接続も平衡とし、ピーク電力検出器の入力は前記平衡・不平衡変換回路よりも下流に接続された請求項２３に記載の高周波信号受信装置。
【請求項２５】
高周波信号が入力される選局部と、この選局部の出力が接続された復調部と、この復調部の出力が接続された誤り訂正部と、この誤り訂正部の出力が接続された出力端子と、前記誤り訂正部の出力が接続されるとともに、前記誤り訂正部から出力される誤り率が予め定められた値以上か、以下かを判定する判定部と、この判定部の出力が接続されるとともに前記判定部の判定結果に基づいて、前記各部を制御する制御部とを備え、前記制御部は前記複数個ある各部のいずれかを選択的に制御して、前記判定部での誤り率を低下させる高周波信号受信装置であって、選局部はデジタル放送を含む放送信号が供給される入力端子と、この入力端子の出力が供給されるとともにその利得を可変制御できる利得制御端子を有した高周波増幅器と、この高周波増幅器の出力がその一方の入力に供給されるとともに他方の入力には局部発振器の出力が供給されて規定の中間周波数へ変換する混合器とを備え、前記混合器の出力が供給されるとともに希望チャンネルを受信時にその希望チャンネルを略中心として予め定められた周波数帯域内の信号レベルを検出するピーク電力検出器を有し、このピーク電力検出器と前記利得制御端子との間に挿入されるとともに制御部の出力が供給される利得制御器を有した高周波信号受信装置において、前記放送信号が供給されるとともに、少なくとも可変容量ダイオードとインダクタンスによって構成され、その出力が前記入力端子へ供給される同調部と、混合器と復調部との間に挿入された中間周波増幅器とを設け、前記利得制御部の一方の出力は前記高周波増幅器の利得制御端子に供給されるとともに他方の出力は前記可変容量ダイオードに供給され、予め定められた周波数帯域内に希望チャンネル信号のレベルより大きなレベルの信号が検出された場合には、前記同調部の同調周波数を微小量変化させるとともに、前記高周波増幅器あるいは前記中間周波増幅器の利得を大きくする方向へ制御する高周波信号受信装置。
【請求項２６】
高周波信号が入力されるアンテナに接続された選局部と、この選局部の出力が接続された復調部と、この復調部の出力が接続された誤り訂正部と、この誤り訂正部の出力が接続された出力端子と、前記誤り訂正部の出力が接続されるとともに、前記誤り訂正部から出力される誤り率が予め定められた値以上か、以下かを判定する判定部と、この判定部の出力が接続されるとともに前記判定部の判定結果に基づいて、前記各部を制御する制御部とを備え、前記制御部は前記複数個ある各部のいずれかを選択的に制御して、前記判定部での誤り率を低下させる高周波信号受信装置において、選局部には、高周波信号が入力される入力端子と、この入力端子に入力された信号が供給されるとともにその利得制御端子に供給する電圧によって利得が制御できるＡＧＣ回路と、このＡＧＣ回路の出力が一方の入力に供給されるとともに他方の入力には局部発振回路の出力信号が供給される混合器と、この混合器の一方の出力が供給されるＡＧＣ制御回路と、この混合器の他方の出力が供給されるフィルタとを備えた高周波受信装置であって、該高周波受信装置は、前記フィルタの出力が供給される復調部と、この復調部の出力が供給される第２のＡＧＣ制御回路と、この第２のＡＧＣ制御回路と前記利得制御端子との間に挿入された重み付け回路とを有し、この重み付け回路の他方の入力には前記ＡＧＣ制御回路の出力電圧が接続され、前記ＡＧＣ制御回路の出力電圧と前記第２のＡＧＣ制御回路の出力電圧とを前記第１の重み付け回路にて重み付けして合成した出力電圧により前記ＡＧＣ回路を利得制御する高周波信号受信装置。
【請求項２７】
フィルタの出力が接続された第２のＡＧＣ回路と、この第２のＡＧＣ回路と復調部との間に挿入された第２の混合器と、この混合器の出力が接続される第３のＡＧＣ制御回路とこの第３のＡＧＣ制御回路と前記第２の混合器との間には第２の重み付け回路とを備え、前記ＡＧＣ制御回路の出力が前記第２の重み付け回路の入力に接続され、前記ＡＧＣ制御回路の出力電圧と前記第３のＡＧＣ制御回路の出力電圧とを前記第２の重み付け回路にて重み付けして合成した出力電圧により前記第２のＡＧＣ回路を利得制御する請求項２６に記載の高周波信号受信装置。
【請求項２８】
高周波信号受信装置にはデータ用入力端子を設け、データ用入力端子から入力される制御用データによって、重み付け回路の重み付け係数が設定される請求項２６に記載の高周波信号受信装置。
【請求項２９】
アナログＴＶ放送波のチャンネル間に挿入されるとともに、１チャンネル中に複数個のセグメントを含む地上波デジタル放送信号が供給される入力端子と、この入力端子に供給された信号がその一方の入力に供給されるとともに、他方の入力には第１の局部発振器の出力が接続された第１の混合器と、この第１の混合器からの第１の中間周波数出力が接続されるとともに１セグメントの帯域幅を超える通過帯域幅を有する狭帯域フィルタと、この狭帯域フィルタの出力が一方の入力に接続されるとともに、他方の入力には第２の局部発振器の出力が接続された第２の混合器と、前記第１の局部発振器にループ接続されるとともに前記第１の局部発振器の発振周波数を制御する第１のＰＬＬ回路と、前記第２の局部発振器にループ接続されるとともに前記第２の局部発振器の発振周波数を制御する第２のＰＬＬ回路と、前記狭帯域フィルタの通過帯域内に前記アナログＴＶ放送信号が割り込む特定セグメントを受信する場合、前記第１のＰＬＬ回路及び前記第２のＰＬＬ回路に選局データを送出するように接続されたＰＬＬデータ送出器からの出力信号によって前記第１の局部発振器の発振周波数を変化させるとともに、前記第２の局部発振器の発振周波数を制御して、前記第２の混合器から出力される第２の中間周波数を略固定の周波数へ変換する高周波受信装置であって、前記高周波受信装置は、前記ＰＬＬデータ送出器の入力に接続されるとともに前記狭帯域フィルタの通過帯域周波数のバラツキに応じて第１の中間周波数の周波数を予め定められた周波数より変化させる指示をするとともに制御器の出力が供給される制御部を有し、この制御部は、前記特定セグメントを受信する場合に前記第１の中間周波数を変化させて前記アナログＴＶ放送信号が前記狭帯域ＳＡＷフィルタの減衰域に設けられるように制御する請求項１に記載の高周波信号受信装置。
【請求項３０】
制御部の入力に接続して設けられた記憶部を有し、この記憶部には狭帯域フィルタの通過周波数帯域のバラツキに対応した周波数の変化量が記憶された請求項２９に記載の高周波信号受信装置。
【請求項３１】
制御部はこの制御部の入力に接続された記憶部のデータに応じてＰＬＬデータ送出器を制御する請求項２９に記載の高周波信号受信装置。
【請求項３２】
記憶部には、妨害が発生するセグメントが記憶された請求項３１に記載の高周波信号受信装置。
【請求項３３】
記憶部には、妨害が発生するセグメントに対する周波数の変化量が記憶された請求項３１に記載の高周波信号受信装置。
【請求項３４】
請求項３０に記載の高周波信号受信装置の製造方法であって、前記高周波信号受信装置の製造方法は、前記アナログＴＶ放送波とこのアナログＴＶ放送波のチャンネル間に挿入された複数個のセグメント信号とを前記混合器に供給する工程と、この工程の後に少なくとも前記狭帯域フィルタの下流より取り出した信号を検知する検知工程と、この検知工程で前記アナログＴＶ放送信号による妨害が検知された場合に、前記記憶部へその周波数の変化量を記憶させる記憶工程とを有した高周波信号受信装置の製造方法。
【請求項３５】
アンテナに接続されたアンテナスイッチと、このアンテナスイッチの一方の端子に入力された信号がその一方の入力に供給されるとともに、他方の入力には第１の局部発振器の出力が接続された第１の混合器と、この第１の混合器の出力が供給される通信装置出力器と、通信装置入力器と、この入力端子にその一方の入力が接続されるとともに、他方の入力に前記第１の局部発振器の出力が接続され、その出力が前記アンテナスイッチの他方の端子に接続された第２の混合器と、前記第１の局部発振器の発振周波数を制御する第１のＰＬＬ回路と、この第１のＰＬＬ回路に接続されるとともに送受信周波数を決定する第１のデータ生成器とを備えた通信装置と同一の筐体内に実装された高周波受信装置であって、前記高周波受信装置の選局部は、アンテナに入力された信号が一方の入力に供給されるとともに、他方の入力には第２の局部発振器の出力が接続された第３の混合器と、この第３の混合器の出力が接続されたバンドパスフィルタと、このバンドパスフィルタの出力が一方の入力に接続されるとともに、他方の入力には第３の局部発振器の出力が接続された第４の混合器と、前記第２の局部発振器の発振周波数を制御する第２のＰＬＬ回路と、前記第３の局部発振器の発振周波数を制御する第３のＰＬＬ回路と、前記第２のＰＬＬ回路と前記第３のＰＬＬ回路の双方に接続された第２のデータ生成器とを備え、前記第１のデータ生成器と前記第２のデータ生成器のデータとを前記第１のデータ生成器の入・出力端子と前記第２のデータ生成器の入・出力端子夫々に接続されたデータ比較器が比較した比較結果によって、制御部が前記通信装置と前記高周波受信装置の少なくとも一方が相手側に妨害を与えると判定した場合に、前記第１のデータ生成器のデータを変更し、前記第１の局部発振器の発振周波数を微小量変更させるか、あるいは前記第２のデータ生成器のデータを変更し、前記第２の局部発振器と前記第３の局部発振器との発振周波数を微小量変化させる請求項１に記載の高周波信号受信装置。
【請求項３６】
制御部は、第２の混合器の出力周波数と第２の局部発振器の発振周波数との差が予め定められた値以下であると判定した場合に、第２の局部発振器と第３の局部発振器の発振周波数を微小量変化させる請求項３５に記載の高周波信号受信装置。
【請求項３７】
制御部は、第１の局部発振器と第２の局部発振器の発振周波数との差が予め定められた値以下であると判定した場合に、制御部は第２の局部発振器及び第３の局部発振器の発振周波数を微小量変化させる請求項３５に記載の高周波信号受信装置。
【請求項３８】
制御部は、通信装置の入力信号の周波数と第２の局部発振器の周波数を比較して、その差の周波数が予め定められた値以下の場合に、第２の局部発振器及び第３の局部発振器の発振周波数を微小量変化させる請求項３５に記載の高周波信号受信装置。
【発明の詳細な説明】
【０００１】
【発明の属する技術分野】
本発明は、テレビ信号などの高周波信号を受信する高周波信号受信装置とその製造方法に関するものである。
【０００２】
【従来の技術】
以下、従来の高周波信号受信装置について説明する。図２５は従来の高周波信号受信装置のブロック図である。
【０００３】
図２５において、デジタル信号が変調された高周波信号を受信するロッドアンテナ１と、このロッドアンテナ１の出力が接続された選局部２と、この選局部２の出力に接続された復調部３と、この復調部３の出力に接続されたビタビ訂正部４と、このビタビ訂正部４の一方の出力に接続されたリードソロモン訂正部５と、このリードソロモン訂正部５の出力に接続された出力端子６と、前記ビタビ訂正部４の他方の出力に接続された判定部７と前記復調部３との間に挿入された制御部８とで構成されていた。
【０００４】
なお、この出願の発明に関する先行技術文献情報としては、例えば、特許文献1が知られている。
【０００５】
【特許文献１】
特開２００１−７７７１３号公報
【０００６】
【発明が解決しようとする課題】
しかしながらこのような従来の高周波信号受信装置では、制御部８は復調部３のみしか制御していなかったので、ビット誤り率が大きくなった場合には制御部８での改善には限界があった。
【０００７】
また、この高周波信号受信装置を移動体や携帯機器に用いた場合、ビル陰とか移動に伴い変化する電波状態などの変化に対して柔軟に、かつ素早く対処することができないという課題を有していた。
【０００８】
そこで本発明は、この課題を解決したもので、ビット誤り率の小さい高周波信号受信装置を提供することを目的としたものである。
【０００９】
【課題を解決するための手段】
この目的を達成するために本発明の高周波信号受信装置は、高周波信号が入力されるアンテナに接続された選局部と、この選局部の出力が接続された復調部と、この復調部の出力が接続された誤り訂正部と、この誤り訂正部の出力が接続された出力端子と、前記誤り訂正部の出力が接続されるとともに、前記誤り訂正部から出力される誤り率が、予め定められた値以上か、以下かを判定する判定部と、この判定部の出力が接続されるとともに前記判定部の判定結果に基づいて、前記各部を制御する制御部とを備え、前記制御部は前記複数個ある各部のいずれかを選択的に制御して、前記判定部での誤り率を低下させたものである。
【００１０】
これにより、誤り率の小さい高周波信号受信装置を得ることが可能となる。
【００１１】
【発明の実施の形態】
本発明の請求項１に記載の発明は、高周波信号が入力されるアンテナに接続された選局部と、この選局部の出力が接続された復調部と、この復調部の出力が接続された誤り訂正部と、この誤り訂正部の出力が接続された出力端子と、前記誤り訂正部の出力が接続されるとともに、前記誤り訂正部から出力される誤り率が予め定められた値以上か、以下かを判定する判定部と、この判定部の出力が接続されるとともに前記判定部の判定結果に基づいて、前記各部を制御する制御部とを備え、前記制御部は前記複数個ある各部のいずれかを選択的に制御して、前記判定部での誤り率を低下させる高周波信号受信装置において、前記複数個ある各部のうち、誤り率が安定状態になる速度の速いものから順次制御する高周波信号受信装置であり、これにより複数個ある各部を選択して制御することができるので、誤り率を小さくすることができる。
【００１２】
従って、受信する高周波信号がデジタルテレビ放送である場合に、受信信号データの誤り率の低下による画像のブロックノイズが発生しにくくなるので、きれいな画質の放送を受信することが可能になる。
【００１３】
そして複数個ある各部のうち、誤り率が安定状態になる速度の速いものから順次制御するので、これにより早く誤り率の改善をすることができるので、誤り率の低下により発生した画面のブロックノイズを素早く直すことができる。従ってブロックノイズによる画像の欠落時間を短くすることができ、たとえ画面の欠落等があったとしても、それを認識できない程度にまで改善することができる。
【００１４】
請求項２に記載の発明の制御部は、判定部が安定状態になったとする判定に基づいて各部を制御する請求項１記載の高周波信号受信装置であり、これにより判定部が安定したと判定してから、新たな制御を開始するので、安定した制御を行うことができる。
【００１５】
つまり、判定部が安定状態になったとする判定をしないと、ある制御をしてからその制御による結果を判定部が判別する前に、制御部が新たな制御を指示することが考えられる。この場合、前に行った制御による誤り率の改善結果が安定する前に新たな制御が行われることとなり、制御が不安定となり、誤り率を逆に悪化させてしまうこととなる。そして、誤り率の低下により発生したブロックノイズの改善に時間が掛かることとなる。そこで判定部は誤り率が安定したと判定してから新たな制御を開始するので、制御を常に安定した状態とすることができ、ブロックノイズを素早く改善することができる。
【００１６】
請求項３に記載の発明の選局部はＰＬＬ回路を用いて選局されるとともに、前記ＰＬＬ回路のロック信号で安定状態を認識する請求項２記載の高周波信号受信装置であって、これにより選局部の安定状態を知ることができ、ＰＬＬ回路の制御を確実に行うことができる。
【００１７】
ここで、ＰＬＬ回路が発振周波数のズレ等が発生するとロックが外れた旨の信号を送る場合、この信号を受けた判定部は、誤り率を判定せずとも上記ロックが外れた旨の信号により選局部への制御を素早く行うことができる。
【００１８】
従って、データの誤り率を早く安定させることができるので、たとえ選局部のロック外れによるブロックノイズで画像の欠落が発生しても短時間に修復することができる。
【００１９】
請求項４に記載の発明の判定部は、予め定められた間隔で抜き出した誤り率のうち、前回抜き出した誤り率と、新たに抜き出した誤り率を比較して判定をする請求項２記載の高周波信号受信装置であり、これにより判定部は実際に抜き取った誤り率の値を比較して判定をすることができる。このとき、もし制御しても誤り率に変化を生じなければ、判定部は制御した箇所が破損等により動作していないものと判定をすることができ、故障等の自己判定を行うことができる。
【００２０】
またこの場合、予めメモリ等に安定するまでの時間等を記憶させておかなくても、実際に抜き取った誤り率の比較を行い判定するので、大きなメモリ等は不要となる。
【００２１】
請求項５に記載の発明は、各部の安定状態になるまでの時間を予めメモリに格納し、前記メモリに格納した時間が経過したら安定状態と判定する請求項２記載の高周波信号受信装置であり、これにより制御対象による安定時間の違いに応じて最適な時点での判定をすることができる。従って被制御部に対してそれぞれ最短に誤り率の低下を改善することができるので、画面上に発生したブロックノイズを素早く直すことができる。
【００２２】
請求項６に記載の発明は、各部の安定状態になるまでの時間のうち最長なものの時間が経過した時をもって、安定状態と判定する請求項２記載の高周波信号受信装置であって、これによりこの時間を格納しているメモリは最長の時間のみを記憶しておくだけで良く、メモリの容量は少なくても良い。
【００２３】
請求項７に記載の発明は、予め定められた量の制御を行った結果、誤り率が減少したら更に同方向に予め定められた量の制御を行い、予め定められた量の制御を行った結果、誤り率が増大したら逆方向に予め定められた量の制御を行う請求項１記載の高周波信号受信装置であり、これにより各部における制御を最良の制御点とすることができる。
【００２４】
また、ビット誤り率のみの情報から同調部の同調周波数を変化させれば良いので、特にその変化方向を決めるために周波数の大小を検出するような回路等は不要であり、小型かつ安価な高周波受信装置を得ることができる。
【００２５】
請求項８に記載の発明は、アンテナと、このアンテナに接続される入力同調部を有し、この入力同調部と前記アンテナとはノイズが乗らない程度に近接して設けられた請求項１記載の高周波信号受信装置であり、これにより選局部に供給される高周波信号にノイズが乗りにくくなるので、誤り率を小さくすることができる。
【００２６】
また、入力同調部の同調周波数を受信希望チャンネルの周波数と略同じとすれば、受信希望チャンネル以外の信号は減衰し、高周波増幅器へ入力される受信希望チャンネル以外の信号のレベルを小さくすることができるので、さらに高周波増幅器は飽和状態になり難くなり、妨害も発生し難いので、ビット誤り率の良い高周波受信装置を実現することができる。
【００２７】
さらに入力同調部の同調周波数を、希望チャンネルの周波数から故意に微小量変化させてやれば、変化させた周波数の逆側に存在する放送信号のレベルをさらに減衰させることができるので、希望チャンネルの一方の近傍にあるレベルの大きな妨害信号等により高周波増幅器が飽和し難くなる。従って、妨害も発生し難いので、ビット誤り率の良い高周波受信装置を実現することができる。
【００２８】
請求項９に記載の発明は、アンテナに同調アンテナを用い、この同調アンテナを制御部で制御する請求項１記載の高周波信号受信装置であり、これによりアンテナの制御も可能となる。
【００２９】
さらに選局部へ入る前に、すでに希望チャンネル以外の不要な信号は除去されることとなるので、希望信号以外により発生するスプリアスや２次歪、３次歪などが発生しない。これにより従来このスプリアスや２次歪、３次歪を防止するために必要とされていた強固なシールド筐体や仕切り板を必要とせず、シールド構造を簡易なものとすることができる。
【００３０】
請求項１０に記載の発明は、同調アンテナと選局部との間に平衡・不平衡変換回路を挿入するとともに、この平衡・不平衡変換回路はノイズに影響されない程度に同調アンテナに近接して設けられた請求項９記載の高周波信号受信装置であり、これにより平衡・不平衡変換回路以降は、妨害の排除能力の高い平衡回路で形成されているので、外部からの妨害をキャンセルすることができる。
【００３１】
さらに、上記平衡・不平衡変換回路はノイズに影響されない程度に同調アンテナに近接して設けられているので、同調アンテナによって希望チャンネル以外の妨害信号や、ノイズ等が除去された信号は、同調アンテナと選局部間で新たなノイズ等が乗ることはなく、選局部へ供給されることとなる。従って妨害等に強くなり、誤り率を小さくすることができる。
【００３２】
本発明の請求項１１に記載の発明における選局部は、デジタル放送を含む放送信号が供給される入力端子と、この入力端子の出力が供給されるとともにその利得を可変制御できる利得制御端子を有した高周波増幅器と、この高周波増幅器の出力がその一方の入力に供給されるとともに他方の入力には局部発振器の出力が供給されて規定の中間周波数へ変換する混合器とを備え、前記混合器の出力が供給されるとともに希望チャンネルを受信時にその希望チャンネルを略中心として予め定められた周波数帯域内の信号レベルを検出するピーク電力検出器を有し、制御部には前記ピーク電力検出器と前記利得制御端子との間に挿入された利得制御器を有し、前記ピーク電力検出器によって前記周波数帯域内に希望チャンネル信号のレベルより大きなレベルが検出された場合には、前記利得制御器が前記高周波増幅器の利得を小さくする方向へ制御する請求項１に記載の高周波信号受信装置であり、これによりピーク電力検出器は受信希望チャンネルを略中心としてある規定の周波数帯域内に存在する信号のレベルを検出することができる。
【００３３】
そして、このピーク電力検出器が受信希望チャンネルの信号よりも大きいレベルの信号を検出した場合に、利得制御器は高周波増幅器に前記レベルの信号が入力されても飽和しないようにその利得を小さくする方向へ制御するものである。
【００３４】
従って受信希望チャンネルのデジタル放送信号の近傍にレベルの高い放送信号があっても、高周波増幅器が飽和状態とならず、受信希望チャンネルのレベルを最適となるように制御することができるので、ビット誤り率が小さい高周波受信装置を提供することができる。
【００３５】
本発明の請求項１２に記載の発明は、混合器と復調部との間に挿入された中間周波増幅器と、この中間周波増幅器の利得を可変制御できる利得制御端子と、この制御端子とピーク電力検出器との間に挿入された利得制御器とを有し、予め定められた周波数帯域内に希望チャンネル信号の電力より大きなレベルの信号を前記ピーク電力検出器が検出した場合に、前記利得制御器は高周波増幅器による利得の減少分を補うように前記中間周波増幅器の利得を大きくする方向へ制御する請求項１１に記載の高周波信号受信装置であり、これにより受信希望チャンネルの信号よりも大きいレベルの信号を検出した場合に、利得制御器は高周波増幅器に前記レベルの信号が入力されても飽和しないようにその利得を小さくする方向へ制御するので、それによって受信希望チャンネル信号のレベルが小さくなるのを補う為に中間周波増幅器の利得を大きくし、復調部における信号レベルを規定の値に維持できるようにするものである。
【００３６】
本発明の請求項１３に記載の発明における混合器あるいは中間周波増幅器と復調部との間には、略１チャンネル分の周波数を通過させる狭帯域フィルタが挿入され、ピーク電力検出器の入力は、少なくとも前記狭帯域フィルタへ入力される信号より上流の信号が供給される請求項１２に記載の高周波信号受信装置であり、これによりピーク電力検出器へは希望チャンネル信号を中心として予め定められた周波数帯域内の信号が入力され、それらの電力を検知できるので、この検知した電力に応じて高周波増幅器と中間周波増幅器の利得を制御することができる。
【００３７】
また、狭帯域フィルタは、略１チャンネル分の周波数が通過帯域であるので、復調部へ入力される信号から不要な周波数信号や妨害信号を除去することができ、受信希望チャンネル以外の不要な信号は供給されないので、ビット誤り率の小さな高周波受信装置を提供することができる。
【００３８】
本発明の請求項１４に記載の発明における入力端子に供給される放送信号は、アナログ放送信号の帯域内にデジタル放送信号が散在した放送信号とした請求項１１に記載の高周波信号受信装置であり、これによりレベルの高いアナログ放送信号が受信希望チャンネルのデジタル放送信号の近傍にあっても、このアナログ信号によって高周波増幅器が飽和状態とならず、受信希望チャンネルのレベルを最適となるように制御することができるので、ビット誤り率が小さい高周波受信装置を提供することができる。
【００３９】
本発明の請求項１５に記載の発明におけるピーク電力検出器が検知するチャンネルは、希望チャンネル以外の信号が高周波増幅器の歪みにより受信希望チャンネルに妨害を発生するチャンネルとした請求項１１に記載の高周波信号受信装置であり、これにより高周波増幅器で信号が歪むことはないので、ビット誤り率の小さな高周波受信装置を得ることができる。
【００４０】
本発明の請求項１６に記載の発明は、ピーク電力検出器が予め定められた周波数帯域内に、前記受信希望チャンネルの信号以上の電力を検出しない場合、制御部は高周波増幅器の利得が大きくなる方向へ制御する請求項１に記載の高周波信号受信装置であり、この状態では受信希望チャンネルの信号よりも大きなレベルの信号はないので、利得制御器は中間周波増幅器の出力を最適なレベルで制御しているはずであるが、その場合でもビット誤り率が予め定められた値以上である場合には、高周波増幅器の利得をさらに大きくしてみるものである。弱電界などにおいて高周波増幅器の飽和まで余裕のあるような場合には、高周波増幅器の利得を大きくしても信号の歪みは大きくならないので、ＮＦの良い高周波受信装置を得ることができる。
【００４１】
本発明の請求項１７に記載の発明は、ピーク電力検出器の出力と利得制御器の入力の間には、前記ピーク電力検出器が予め定められた周波数範囲内において検出したピーク電力レベルと受信チャンネル信号の電力レベルとの誤差を演算する演算器が挿入され、前記利得制御器は、前記誤差に応じて利得を制御する請求項１１に記載の高周波信号受信装置であり、これによりレベル差に応じて利得を制御することができるので、一度のフィードバックで精度良く利得の制御を行うことができる。
【００４２】
本発明の請求項１８に記載の発明における制御部は、利得制御器の利得を制御してもビット誤り率が予め定められた値以下とならなかった場合には、前記制御を行う以前の利得に戻す請求項１１に記載の高周波信号受信装置であり、利得制御器が利得を制御してもビット誤り率が予め定められた値以下とならなかった場合は、高周波増幅器あるいは中間周波増幅器によってビット誤り率が悪化したものではないことから、それぞれの利得を元に戻すものである。これによってビット誤り率が高周波増幅器あるいは中間周波増幅器によって悪化したものでないことを認識することができる。
【００４３】
本発明の請求項１９に記載の発明は、混合器と復調部との間に挿入された中間周波増幅器と、選局部の上流に設けられるとともに少なくとも可変容量ダイオードとインダクタンスによって構成された入力同調部と、該可変容量ダイオードのカソード側に接続されるとともに制御部の出力が接続された制御端子とを有し、判定部が前記ビット誤り率を予め定められた値以上と判定した場合に、前記制御部は前記同調部の同調周波数を微小量変化させるとともに、高周波増幅器あるいは前記中間周波増幅器の利得を大きくする方向へ制御する請求項１１に記載の高周波信号受信装置であり、これにより希望チャンネルの信号自体も減衰するので、そのロス分を補うように高周波増幅器あるいは中間周波増幅器の利得を大きくするものである。従って、復調部の処理信号のレベルを規定値とすることができ、ビット誤り率の小さな高周波受信装置を得ることができる。
【００４４】
本発明の請求項２０に記載の発明におけるピーク電力検出器は、希望チャンネルの信号のレベルより大きなレベルの妨害信号を検知した場合に、その検知した信号の周波数が受信希望チャンネルの周波数よりも上側か、下側かの情報を前記制御部へ出力し、前記制御部は前記情報の示す方向とは逆方向へ同調部の同調周波数を変化させる請求項１１に記載の高周波信号受信装置であり、これによりどちらの方向に制御すればよいかがわかるので、誤った方向へ制御することがなくなるので同調周波数を逆方向へ制御しビット誤り率を悪化させてしまうことはない。
【００４５】
本発明の請求項２１に記載の発明は、利得制御器の入力は復調部の出力に接続され、この復調部は希望チャンネルの信号レベルを検出し、規定のレベルとの誤差信号を演算し、この誤差信号を前記利得制御器へ伝達する請求項１１に記載の高周波信号受信装置であり、これにより復調部内で受信希望チャンネルの信号レベルを検知し、規定のレベルとの誤差を演算するので、特に他に演算回路等が不要であり、安価な高周波受信装置を実現することができる。また、復調部は集積回路化することができるので、小型な高周波受信装置を実現することができる。
【００４６】
本発明の請求項２２に記載の発明は、混合器あるいは復調部の出力が供給されるとともに、受信チャンネルの信号レベルを検出し、予め定められた値との誤差を算出するレベル検出器と、このレベル検出器の出力端子と高周波増幅器の利得制御端子との間に挿入して設けられた利得制御器とを備え、ピークレベル検出器が希望チャンネルの信号以上に大きな信号を検出しない場合には、前記利得制御器が前記誤差に応じて高周波増幅器の利得を制御する請求項１１に記載の高周波信号受信装置であり、これにより希望信号の近傍に大きなレベルの信号が存在しない場合には、希望チャンネルの信号を予め定められた値になるように制御することができる。
【００４７】
本発明の請求項２３に記載の発明は、高周波増幅器の上流と混合器の下流にのみフィルタを有し、これらフィルタのうち混合器の下流に設けられたフィルタは、狭帯域フィルタとするとともに、ピーク電力検出器の入力は前記混合器と、前記狭帯域フィルタとの間から供給した請求項１１に記載の高周波信号受信装置であり、これにより高周波増幅器と混合器との間にはフィルタが存在しないので、その間でのロスがなくＮＦの劣化は小さくなる。従って、中間周波増幅器にはＮＦが優れた高価なガリウム砒素トランジスタ等を用いるのではなく、ＮＦは悪いが価格の安価なトランジスタ等で形成することができるので、安価な高周波受信装置を実現することができる。
【００４８】
さらに、混合器や局部発振器などと同じＩＣ内に形成することができるので、この構成によれば混合器や局部発振器さらに中間周波増幅器を１つのＩＣ内に収めることができる。従って小型な高周波受信装置を実現することができる。
【００４９】
本発明の請求項２４に記載の発明は、ＲＦフィルタと高周波増幅器との間に挿入された不平衡・平衡変換回路と、混合器と狭帯域フィルタとの間に挿入された平衡・不平衡変換回路とを有し、少なくとも高周波増幅器と混合器と局部発振器とは平衡回路とするとともに、前記不平衡・平衡変換回路と平衡・不平衡変換回路との間の各回路間の接続も平衡とし、ピーク電力検出器の入力は前記平衡・不平衡変換回路よりも下流に接続された請求項２３に記載の高周波信号受信装置であり、これにより妨害排除能力の高い高周波受信装置を実現することができる。さらに妨害排除能力が大きいので、各回路間の距離が短くてもそれらの回路の間での信号の飛び込みに対して強くなる。従って、各回路間の距離を短くでき、ＩＣ内に収納することも可能となる。
【００５０】
本発明の請求項２５に記載の発明は、高周波信号が入力される選局部と、この選局部の出力が接続された復調部と、この復調部の出力が接続された誤り訂正部と、この誤り訂正部の出力が接続された出力端子と、前記誤り訂正部の出力が接続されるとともに、前記誤り訂正部から出力される誤り率が予め定められた値以上か、以下かを判定する判定部と、この判定部の出力が接続されるとともに前記判定部の判定結果に基づいて、前記各部を制御する制御部とを備え、前記制御部は前記複数個ある各部のいずれかを選択的に制御して、前記判定部での誤り率を低下させる高周波信号受信装置であって、選局部はデジタル放送を含む放送信号が供給される入力端子と、この入力端子の出力が供給されるとともにその利得を可変制御できる利得制御端子を有した高周波増幅器と、この高周波増幅器の出力がその一方の入力に供給されるとともに他方の入力には局部発振器の出力が供給されて規定の中間周波数へ変換する混合器とを備え、前記混合器の出力が供給されるとともに希望チャンネルを受信時にその希望チャンネルを略中心として予め定められた周波数帯域内の信号レベルを検出するピーク電力検出器を有し、このピーク電力検出器と前記利得制御端子との間に挿入されるとともに制御部の出力が供給される利得制御器を有した高周波信号受信装置において、前記放送信号が供給されるとともに、少なくとも可変容量ダイオードとインダクタンスによって構成され、その出力が前記入力端子へ供給される同調部と、混合器と復調部との間に挿入された中間周波増幅器とを設け、前記利得制御部の一方の出力は前記高周波増幅器の利得制御端子に供給されるとともに他方の出力は前記可変容量ダイオードに供給され、予め定められた周波数帯域内に希望チャンネル信号のレベルより大きなレベルの信号が検出された場合には、前記同調部の同調周波数を微小量変化させるとともに、前記高周波増幅器あるいは前記中間周波増幅器の利得を大きくする方向へ制御する高周波信号受信装置であり、これにより高周波増幅器と中間周波増幅器の利得を制御しても高周波増幅器が飽和状態となるようなレベルのチャンネル信号が同調部に入力されても同調部を微小量変化させて制御することで、そのチャンネル信号を減衰させることができる。しかし、この構成によって、受信希望チャンネルの信号自体も減衰するためにそのロス分を補うように高周波増幅器あるいは中間周波増幅器の利得を大きくするものである。従って、信号のレベルを安定することができるので、ビット誤り率の小さなデジタル放送受信装置を得ることができる。
【００５１】
本発明の請求項２６に記載の発明は、高周波信号が入力されるアンテナに接続された選局部と、この選局部の出力が接続された復調部と、この復調部の出力が接続された誤り訂正部と、この誤り訂正部の出力が接続された出力端子と、前記誤り訂正部の出力が接続されるとともに、前記誤り訂正部から出力される誤り率が予め定められた値以上か、以下かを判定する判定部と、この判定部の出力が接続されるとともに前記判定部の判定結果に基づいて、前記各部を制御する制御部とを備え、前記制御部は前記複数個ある各部のいずれかを選択的に制御して、前記判定部での誤り率を低下させる高周波信号受信装置において、選局部には、高周波信号が入力される入力端子と、この入力端子に入力された信号が供給されるとともにその利得制御端子に供給する電圧によって利得が制御できるＡＧＣ回路と、このＡＧＣ回路の出力が一方の入力に供給されるとともに他方の入力には局部発振回路の出力信号が供給される混合器と、この混合器の一方の出力が供給されるＡＧＣ制御回路と、この混合器の他方の出力が供給されるフィルタとを備えた高周波受信装置であって、該高周波受信装置は、前記フィルタの出力が供給される復調部と、この復調部の出力が供給される第２のＡＧＣ制御回路と、この第２のＡＧＣ制御回路と前記利得制御端子との間に挿入された重み付け回路とを有し、この重み付け回路の他方の入力には前記ＡＧＣ制御回路の出力電圧が接続され、前記ＡＧＣ制御回路の出力電圧と前記第２のＡＧＣ制御回路の出力電圧とを前記第１の重み付け回路にて重み付けして合成した出力電圧により前記ＡＧＣ回路を利得制御する高周波信号受信装置である。
【００５２】
これによりＡＧＣ制御回路の出力電圧と第２のＡＧＣ制御回路の出力電圧とを受信エラーが減少する方向となるように任意に第１の重み付け回路にて重み付けして合成することができるので、ＡＧＣ回路への利得制御をＣ／ＮとＩＭ３に対して最適に設定することができ、隣接チャンネルの妨害によるビット誤り率の良い高周波受信装置を実現する。
【００５３】
さらに、隣接チャンネルの妨害信号レベルに応じた第２のＡＧＣ回路の利得制御用の電圧を用いて最適な第１のＡＧＣ回路の利得制御を瞬時に行うことにより隣接チャンネルの妨害信号に対する改善ができるので、刻々と変化する移動中においても安定した受信状態を提供できる。
【００５４】
本発明の請求項２７に記載の発明は、フィルタの出力が接続された第２のＡＧＣ回路と、この第２のＡＧＣ回路と復調部との間に挿入された第２の混合器と、この混合器の出力が接続される第３のＡＧＣ制御回路とこの第３のＡＧＣ制御回路と前記第２の混合器との間には第２の重み付け回路とを備え、前記ＡＧＣ制御回路の出力が前記第２の重み付け回路の入力に接続され、前記ＡＧＣ制御回路の出力電圧と前記第３のＡＧＣ制御回路の出力電圧とを前記第２の重み付け回路にて重み付けして合成した出力電圧により前記第２のＡＧＣ回路を利得制御する請求項２６に記載の高周波信号受信装置であり、これにより第２の重み付け回路は、第２のＡＧＣ制御回路と第３のＡＧＣ制御回路からの出力電圧に重み付けして、第２のＡＧＣ回路への利得制御を行うので、この第２の重み付け回路による重み付け係数を任意に設定することによってＣ／ＮとＩＭ３等の性能を良くし、さらに隣接チャンネル妨害によるビット誤り率の良好な高周波受信装置を実現できる。
【００５５】
本発明の請求項２８に記載の発明における高周波信号受信装置にはデータ用入力端子を設け、データ用入力端子から入力される制御用データによって、重み付け回路の重み付け係数が設定される請求項２６に記載の高周波信号受信装置であり、これにより外部のデータ用入力端子からデータを入力することにより、任意に重み付け係数を変化させることができるので、例えばチャンネル毎に最適な利得となるように制御することも可能となる。
【００５６】
本発明の請求項２９に記載の発明は、アナログＴＶ放送波のチャンネル間に挿入されるとともに、１チャンネル中に複数個のセグメントを含む地上波デジタル放送信号が供給される入力端子と、この入力端子に供給された信号がその一方の入力に供給されるとともに、他方の入力には第１の局部発振器の出力が接続された第１の混合器と、この第１の混合器からの第１の中間周波数出力が接続されるとともに１セグメントの帯域幅を超える通過帯域幅を有する狭帯域フィルタと、この狭帯域フィルタの出力が一方の入力に接続されるとともに、他方の入力には第２の局部発振器の出力が接続された第２の混合器と、前記第１の局部発振器にループ接続されるとともに前記第１の局部発振器の発振周波数を制御する第１のＰＬＬ回路と、前記第２の局部発振器にループ接続されるとともに前記第２の局部発振器の発振周波数を制御する第２のＰＬＬ回路と、前記狭帯域フィルタの通過帯域内に前記アナログＴＶ放送信号が割り込む特定セグメントを受信する場合、前記第１のＰＬＬ回路及び前記第２のＰＬＬ回路に選局データを送出するように接続されたＰＬＬデータ送出器からの出力信号によって前記第１の局部発振器の発振周波数を変化させるとともに、前記第２の局部発振器の発振周波数を制御して、前記第２の混合器から出力される第２の中間周波数を略固定の周波数へ変換する高周波受信装置であって、前記高周波受信装置は、前記ＰＬＬデータ送出器の入力に接続されるとともに前記狭帯域フィルタの通過帯域周波数のバラツキに応じて第１の中間周波数の周波数を予め定められた周波数より変化させる指示をするとともに制御器の出力が供給される制御部を有し、この制御部は、前記特定セグメントを受信する場合に前記第１の中間周波数を変化させて前記アナログＴＶ放送信号が前記狭帯域ＳＡＷフィルタの減衰域に設けられるように制御する請求項１に記載の高周波信号受信装置であり、これによりＳＡＷフィルタの通過帯域の周波数がばらついても妨害波がＳＡＷフィルタの減衰域になるように制御され、抑圧されることとなる。従って、第２の混合器の下流に設けられるフィルタは、ＳＡＷフィルタのように大型で高価なフィルタを用いる必要はなく、ローパスフィルタでも良いので、高周波受信装置の小型化と低価格化を図ることができる。
【００５７】
本発明の請求項３０に記載の発明は、制御部の入力に接続して設けられた記憶部を有し、この記憶部には狭帯域フィルタの通過周波数帯域のバラツキに対応した周波数の変化量が記憶された請求項２９に記載の高周波信号受信装置であり、これにより記憶部が狭帯域フィルタの通過帯域のバラツキに応じた周波数の変化量を記憶しているので、容易に周波数を変化させることができる。
【００５８】
本発明の請求項３１に記載の発明は、制御部はこの制御部の入力に接続された記憶部のデータに応じてＰＬＬデータ送出器を制御する請求項２９に記載の高周波信号受信装置であり、これにより記憶部のデータにより周波数を変化しているので、容易に周波数を変化させることができる。
【００５９】
本発明の請求項３２に記載の発明における記憶部には、妨害が発生するセグメントが記憶された請求項３１に記載の高周波信号受信装置であり、これにより妨害が発生するセグメントに対して、前記第１の中間周波数を変化させることができるので、前記アナログＴＶ放送信号を前記狭帯域ＳＡＷフィルタの減衰域に設けるようにすることができる。
【００６０】
本発明の請求項３３に記載の発明における記憶部には、妨害が発生するセグメントに対する周波数の変化量が記憶された請求項３１に記載の高周波信号受信装置であり、これにより妨害が発生するセグメントに応じた周波数の変化量を記憶することができ、セグメント毎に最適な変化量を記憶させることができるので、セグメント毎に最適に第１の中間周波数を設定し、前記アナログＴＶ放送信号を狭帯域ＳＡＷフィルタの減衰域に設けるようにすることができる。
【００６１】
本発明の請求項３４に記載の発明は、請求項３０に記載の高周波信号受信装置の製造方法であって、前記高周波信号受信装置の製造方法は、前記アナログＴＶ放送波とこのアナログＴＶ放送波のチャンネル間に挿入された複数個のセグメント信号とを前記混合器に供給する工程と、この工程の後に少なくとも前記狭帯域フィルタの下流より取り出した信号を検知する検知工程と、この検知工程で前記アナログＴＶ放送信号による妨害が検知された場合に、前記記憶部へその周波数の変化量を記憶させる記憶工程とを有した高周波受信装置の製造方法であり、これにより、狭帯域フィルタの通過帯域のバラツキに応じて第１の中間周波数の値を最適に変化させることができるので、妨害を充分に除去することができる。
【００６２】
本発明の請求項３５に記載の発明は、アンテナに接続されたアンテナスイッチと、このアンテナスイッチの一方の端子に入力された信号がその一方の入力に供給されるとともに、他方の入力には第１の局部発振器の出力が接続された第１の混合器と、この第１の混合器の出力が供給される通信装置出力端子と、通信装置入力端子と、この入力端子にその一方の入力が接続されるとともに、他方の入力に前記第１の局部発振器の出力が接続され、その出力が前記アンテナスイッチの他方の端子に接続された第２の混合器と、前記第１の局部発振器の発振周波数を制御する第１のＰＬＬ回路と、この第１のＰＬＬ回路に接続されるとともに送受信周波数を決定する第１のデータ生成器とを備えた通信装置と同一の筐体内に実装された高周波受信装置であって、前記高周波受信装置の選局部は、アンテナに入力された信号が一方の入力に供給されるとともに、他方の入力には第２の局部発振器の出力が接続された第３の混合器と、この第３の混合器の出力が接続されたバンドパスフィルタと、このバンドパスフィルタの出力が一方の入力に接続されるとともに、他方の入力には第３の局部発振器の出力が接続された第４の混合器と、前記第２の局部発振器の発振周波数を制御する第２のＰＬＬ回路と、前記第３の局部発振器の発振周波数を制御する第３のＰＬＬ回路と、前記第２のＰＬＬ回路と前記第３のＰＬＬ回路の双方に接続された第２のデータ生成器とを備え、前記第１のデータ生成器と前記第２のデータ生成器のデータとを前記第１のデータ生成器の入・出力端子と前記第２のデータ生成器の入・出力端子夫々に接続されたデータ比較器が比較した比較結果によって、制御部が前記通信装置と前記高周波受信装置の少なくとも一方が相手側に妨害を与えると判定した場合に、前記第１のデータ生成器のデータを変更し、前記第１の局部発振器の発振周波数を微小量変更させるか、あるいは前記第２のデータ生成器のデータを変更し、前記第２の局部発振器と前記第３の局部発振器との発振周波数を微小量変化させる請求項１に記載の高周波信号受信装置であり、これにより第１の局部発振器或いは第２の局部発振器や第３の局部発振器などの発振周波数を、相手側の信号へ妨害を与える周波数から変更することができるので、例えば第２の局部発振器の発振周波数が原因で情報装置使用中の雑音が増加したり、通信が不能になるようなことは少なくなる。また、高周波受信装置においても第１の局部発振器の出力や第２の混合器の出力が第２の局部発振器に妨害を与えることもないので、Ｃ／Ｎが悪くなってビット誤り率が増加するようなこともない。
【００６３】
また、情報装置と高周波受信装置との間に、夫々個別のシールドとは別に別途シールド板を設けなくても良いので、小型化を図ることができる。
【００６４】
本発明の請求項３６に記載の発明における制御部は、第２の混合器の出力周波数と第２の局部発振器の発振周波数との差が予め定められた値以下であると判定した場合に、第２の局部発振器と第３の局部発振器の発振周波数を微小量変化させる請求項３５に記載の高周波信号受信装置であり、これにより第２の局部発振器及び第３の局部発振器の発振周波数が電力増幅器の出力に妨害を与えないので、通信中の雑音が増加したり、通信が不能になるようなことは発生し難くなる。
【００６５】
本発明の請求項３７に記載の発明における制御部は、第１の局部発振器と第２の局部発振器の発振周波数との差が予め定められた値以下であると判定した場合に、制御部は第２の局部発振器及び第３の局部発振器の発振周波数を微小量変化させる請求項３５に記載の高周波信号受信装置であり、これにより第２の局部発振器及び第３の局部発振器の発振周波数が直接第１の局部発振器に妨害を与えないので、通信中の雑音が増加したり、通信が不能になるようなことは発生し難くなる。
【００６６】
本発明の請求項３８に記載の発明における制御部は、通信装置の入力信号の周波数と第２の局部発振器の周波数を比較して、その差の周波数が予め定められた値以下の場合に、第２の局部発振器及び第３の局部発振器の発振周波数を微小量変化させる請求項３５に記載の高周波信号受信装置であり、これにより第２の局部発振器及び第３の局部発振器の発振周波数が携帯電話の入力周波数に妨害を与えないので、通信中の雑音が増加したり、通信が不能になるようなことは発生し難くなる。
【００６７】
（実施の形態１）
以下、本発明の実施の形態１について図面を用いて説明する。図１は、本発明の一実施の形態における高周波信号受信装置の回路ブロック図である。
【００６８】
図１において、２０はデジタル信号が変調された高周波信号を受信する不平衡型の入力同調部を有する同調アンテナであり、この入力同調部はインダクタ２０ａとバリキャップダイオード２０ｂの並列接続により構成されている。インダクタ２０ａは誘電体上にパターンで形成されている。また、バリキャップダイオード２０ｂは制御端子２０ｃに供給される制御電圧に応じてその容量値が変化し、この制御電圧に応じてアンテナ２０の同調周波数を変化させることができるものである。つまり受信希望信号の周波数と、この同調アンテナの同調周波数とを合致させることにより、希望信号のみを取り込んで、希望信号以外の雑音を通過させなくすることができるものである。ただし、このアンテナ２０は、その受信感度を大きくするために、受信状態においてはなるべく機器の上方となる位置に設けることが望ましい。
【００６９】
２１は、同調アンテナ２０から供給される不平衡な高周波信号を平衡な高周波信号へ変換する不平衡・平衡変換回路である。この不平衡・平衡変換回路２１は同調アンテナ２０に近接して設けている。
【００７０】
なぜならば、同調アンテナ２０で希望信号に同調し、不要な信号を除去したにも係わらず、同調アンテナ２０と選局部２２との距離が離れていると、その間で新たな妨害ノイズ等が入ることとなる。従って、同調アンテナ２０と不平衡・平衡変換回路２１との距離を近接して配置することにより、妨害に対して強くなり、ノイズ等に対しても誤り率が大きくならない。また、不平衡・平衡変換回路２１と選局部２２との間は妨害に強い平衡線路としているので、この距離を長くしても外部からのノイズによる誤り率は大きくならない。
【００７１】
２２は不平衡・平衡変換回路２１の出力に接続された選局部であり、アンテナ２０で選択された周波数を周波数変換し、Ｉ／Ｑ抽出するものである。この選局部２２は入力端子２３ａ，２３ｂと、高周波増幅器２４と、局部発振器２５、混合器２６と、ＳＡＷフィルタ２７と、局部発振器２９および混合器３０から構成されたＩ／Ｑ抽出器２８と、局部発振器２５にループ接続されたＰＬＬ回路３１と、このＰＬＬ回路３１の基準信号として水晶発振子３２から構成されている。ここで、入力端子２３ａ，２３ｂは、平衡入力となっている。
【００７２】
高周波増幅器２４は同調アンテナ２０の出力が供給され、同調アンテナ２０で選択された周波数を増幅するものである。なお、この高周波増幅器２４は制御端子２４ａの電圧を変化させることによりその増幅度を変化させることができるものである。
【００７３】
２６は高周波増幅器２４の出力がその一方の端子に接続されるとともに他方の端子には局部発振器２５からの出力が接続された混合器である。この混合器２６では、局部発振器２５の発振信号と高周波増幅器２４の出力信号とを混合し、入力される最大周波数（約９００ＭＨｚ）の約１．５倍の中間周波数信号へ変換する。本実施の形態においてはこの中間周波数信号の周波数を１．２ＧＨｚとしている。従って、テレビ放送信号の２次歪、３次歪等による妨害を受けにくくなる。
【００７４】
２７は、混合器２６の出力が接続されたＳＡＷ（表面弾性波）フィルタである。このＳＡＷフィルタ２７は、中間周波数信号の周波数を中心としてテレビ放送信号の帯域である６ＭＨｚを通過帯域としているものであり、このＳＡＷフィルタ２７は非常に急峻な減衰特性を有するものであるので、必要とされる周波数信号だけを良好に通過させることができる。従って不要な妨害を確実に排除することが可能である。なお、デジタル狭帯域テレビ放送信号の場合は約４２８ｋＨｚの帯域となる。
【００７５】
さらに、本実施の形態においては中間周波数として１．２ＧＨｚという非常に高い周波数を用いているので、ＳＡＷフィルタ２７を小さくすることができ、高周波信号受信装置の小型化が可能となる。
【００７６】
２８は、Ｉ／Ｑ抽出器である。このＩ／Ｑ抽出器２８は、ＳＡＷフィルタ２７の出力がその一方の端子に供給されるとともに他方の端子には局部発振器２９から出力される信号が供給される混合器３０から構成されている。
【００７７】
そして本実施の形態における混合器３０は、図１には明確に示されていないが、局部発振器２９からの信号とＳＡＷフィルタ２７からの信号とを混合する第一の混合部と、局部発振器２９からの信号を９０度位相反転した信号とＳＡＷフィルタ２７からの信号とを混合する第二の混合部から形成されており、それぞれの混合部で信号を混合することで直接Ｉ信号及びＱ信号を抽出している。従って別途検波器等を設ける必要がなく小型の高周波信号受信装置を得ることが可能になる。この場合、局部発振器２９の発振周波数としては中間周波数信号の周波数とほぼ同等の周波数とすることにより、直接Ｉ信号とＱ信号を抽出している。
【００７８】
３１はＰＬＬ回路である。このＰＬＬ回路３１は、局部発振器２５に接続され、その信号を分周するプログラマブルカウンタ３３と、その一方の端子はプログラマブルカウンタ３３の出力に接続されるとともに、他方の端子には水晶発振子３２の出力を分周するリファレンスカウンタ３４の出力を接続し、それらの周波数を比較する比較器３５と、この比較器３５の出力と局部発振器２５との間に挿入され、比較器３５の結果に応じて局部発振器２５を制御するＰＬＬ制御部３６とから構成されている。
【００７９】
ここで、プログラマブルカウンタ３３には２線式で構成された制御端子３３ａが設けられており、この制御端子３３ａにデータを与えることにより、前記プログラマブルカウンタ３３の分周比を変化させ、周波数を変化させることができる。すなわち制御端子３３ａのデータを変更すると、プログラマブルカウンタ３３で分周された値とリファレンスカウンタ３４の出力との差が生じ、それを比較器３５で比較し、その結果に応じてＰＬＬ制御部３６が局部発振器２５の発振周波数を制御するものである。そしてプログラマブルカウンタ３３で分周された値とリファレンスカウンタ３４の出力が一致するとＰＬＬ制御部３６の出力端子３６ａからロック信号を出力するものである。
【００８０】
３７は、Ｉ／Ｑ抽出器２８の出力が供給される復調部である。この復調部３７にはＯＦＤＭ復調する復調部３８とこれを制御するレジスタ３９とから構成されている。ここで、レジスタ３９に設けられた端子３９ａにデータを入力することにより、復調部３８を制御している。
【００８１】
４０は誤り訂正部であり、この誤り訂正部４０の出力が出力端子４１に接続されている。ここで誤り訂正部４０は、復調部３７の出力に接続されたビタビ訂正器４２と、このビタビ訂正器４２の一方の出力が接続されたリードソロモン訂正器４３とから構成されている。
【００８２】
ここでビタビ訂正器４２は、復調されたデジタル信号が予め定められた規則に反していないかどうかを判定し、違反している箇所について信号の訂正、復元を行うものである。さらにリードソロモン訂正器４３ではビタビ訂正器４２で訂正されたデジタル信号を再度訂正、復元するものである。一般的にこのリードソロモン訂正器４３での訂正のためのリードソロモンデータは予め画像信号データに付して送信されて来る。そこで、リードソロモン訂正器４３では、そのリードソロモンデータと、送られた画像信号とからデジタル信号を訂正、復元するものである。
【００８３】
なお、各国でそのデジタル信号のビット数や、リードソロモンデータのビット数は異なるが、一般的にはビタビ訂正器４２の出力での誤り率が０．０００２以下である場合には、リードソロモン訂正器４３の出力の誤り率を０とすることができるとされている。
【００８４】
４４はマイクロコンピュータ（以下、マイコンと言う）である。このマイコン４４は、ビタビ訂正器４２の他方の出力に接続された判定部４５と、この判定部４５の出力に接続された制御部４６と、この制御部４６の出力に接続されるとともに、制御端子２０ｃ，２４ａ，３３ａ，３６ａへの信号を選択的に切替えるスイッチ４９を有している。
【００８５】
なお、このマイコン４４では、判定部４５でビタビ訂正後における誤り率を監視し、その値が０．０００２を超えるとともに、誤り率が安定したと判定した場合に、制御部４６が制御端子２０ｃ，２４ａ，３３ａ，３６ａのいずれかを選択し制御信号を送るものである。なお本実施の形態において、各部は制御部４６からの信号によって制御を開始する構成としている。
【００８６】
しかし、判定部４５は誤り率のみの判定を行っているので、今各部（同調アンテナ２０、高周波増幅器２４、ＰＬＬ回路３１、復調部３７）が今どのような状態にあるか判定できない。この状態でもし誤り率が０．０００２以下であるにも係わらず、制御部４６が各部の制御を行うと、誤り率が悪化してしまう方向へ動くこともある。つまり、制御部４６は、選択した被制御部（前記各部）に対して一度ある方向へ変化するように制御電圧を変化させ、判定部４５がその結果を検知し、誤り率が大きくなったのか小さくなったのかを判定している。
【００８７】
すなわち判定部４５は各部が最適な状態で動作しているかどうかの判定はできないので、必ずしも誤り率が良化する方向へ制御電圧が変化されているとは限らない。あるいは、その被制御部の制御電圧が最適点である場合は、当然どちらの方向へ電圧を変化させても誤り率は大きくなるのは当然である。
【００８８】
このように判定部４５での誤り率が０．０００２以下で新たな制御をすると、この新たな制御によって誤り率が悪化する方向へ動くことも起こることとなる。
【００８９】
また、判定部４５が安定状態になったとする判定をしないで制御部４６が新たな制御をすると、前に行った制御による誤り率の改善結果が安定する前に新たな制御が行われることがある。その場合に制御は不安定となり、誤り率を逆に悪化させることとなる。そして、誤り率の増加により発生したブロックノイズの改善に時間が掛かることとなるため、制御部４６は判定部４５が安定したと判定してから、新たな制御を開始するものである。
【００９０】
従って制御部４６は、判定部４５において誤り率が０．０００２を超え、かつ誤り率が安定したとの判定を下した場合に、制御を開始する。
【００９１】
また、制御部４６が制御を行い、誤り率が減少した場合には、更に同方向に制御電圧を変更する。しかし制御を行った結果、誤り率が増大した場合には逆方向へ制御電圧の変更を行う。各部の制御電圧には誤り率の極小点つまり、最適点が存在し、この点を超えてさらに制御電圧を変化させると、逆に誤り率が大きくなる。このようにして、各部における最適な制御点を探し出すことができ、最も良好な状態で受信することとなり、誤り率を小さくすることができる。
【００９２】
次に、判定部４５において誤り率が安定したとの判定をどのようにして下すかについて説明する。４７は制御部４６に接続されたメモリであり、このメモリ４７には、ビタビ訂正器４２を定期的に監視して格納した誤り率が格納してある。そして判定部４５で、前回メモリ４７へ格納した誤り率と新たな誤り率との比較を行い、この結果に差の無い場合、判定部４５は安定したとの判定を下している。
【００９３】
ただし、判定部４５がこの比較のみしか行わないならば、外乱等により誤り率が大きくなった場合においても、この外乱による誤り率が完全に安定するまで新たな制御は行わないこととなるので、安定するまで時間がかかることとなる。
【００９４】
そこで、制御電圧を変更した場合に、各部のそれぞれが安定するまでの安定時間についてもメモリ４７に格納し、この安定時間を超えても誤り率が安定していない場合は、安定したものとみなした判定を行い、新たな制御を開始するものである。
【００９５】
すなわち、各部に対して設定された安定時間を超えても誤り率が安定していないのは、制御以外の別の要因、あるいは新たな外乱に起因するものであるとして、新たな制御を開始するように設定するものである。これにより突然の電波状況や受信状態の変化などによる誤り率が大きくなったとしても、素早く直すことができることとなる。
【００９６】
ただし、各部の安定状態になるまでの時間のうち最長なものの時間が経過したら安定状態と判定する場合、各部の条件に合わせた時間の記憶が不要になるので、メモリ４７の記憶容量は小さくて良い。従って低価格なメモリを使用することができる。
【００９７】
また、３６ａは制御部４６、ＰＬＬ制御部３６の出力と制御部４６とに接続されるとともに、ロック信号が入力される入力端子である。この入力端子３６ａにロック信号が入力されると制御部４６はＰＬＬ回路３１がロックしたことを認知することができる。
【００９８】
以上のような構成により、制御部４６は、同調アンテナ２０、高周波増幅器２４、ＰＬＬ回路３１ならびに復調部３８のうちから適宜選択して制御することができるので、誤り率の改善効果を向上させることができる。
【００９９】
従って受信する高周波信号がデジタルテレビ放送である場合に、受信信号データの誤り率の低下による画像のブロックノイズが発生しにくくなるので、きれいな画質の放送を受信することが可能になる。
【０１００】
ここで、制御部４６がどの回路に対して制御をするかの判定については、制御されて誤り率が安定状態になる速度の速いものから順次制御している。つまり、制御された部位自体が安定するまでの時間と、その後段の回路の処理に必要な時間との和が最も短くなるものから制御を開始するものである。これにより早く誤り率の改善をすることができるので、誤り率の低下により発生した画面のブロックノイズを素早く直すことができる。従ってブロックノイズによる画像の欠落時間を短くすることができる。
【０１０１】
なお、各部を制御したときの各部自体が安定する時間が各部における処理時間に比べて非常に短い場合は、判定部４５に近い復調部３７から制御を開始すると判定部４５は早く判定することができる。つまり、制御部４６が制御した後に判定部４５が判定を行うまでの時間は、ほぼ制御した部位での処理時間とその後段の処理時間の総和となる訳であるから、当然判定部４５から近い部位から制御してやれば早く誤り率を安定させることができることとなる。
【０１０２】
例えば回路的に上流のアンテナ２０側から制御すると、信号はアンテナ２０からビタビ訂正器４２までの各部の回路を通過、処理されるので、制御をしてからその結果を判定部４５が判別するまでに時間が掛かってしまう。従って、回路的に下流にあるビタビ訂正器４２から制御をすれば、判定部４５はその結果を素早く検知し、データの誤り率を早く安定させることができるので、たとえブロックノイズによる画像の欠落が発生しても短時間に修復することができる。その結果、画面の欠落等があったとしても、それを認識できない程度にまで改善することができる。
【０１０３】
ただし各部のうち複数の部位を制御したい場合、例えば受信チャンネルを変更するような場合には、逆に安定するまでの時間が長い部位から順に制御信号を発送する。これにより素早く制御を安定させることができる。
【０１０４】
さらに本実施の形態１において制御部４６は判定部からビット誤り率が０．０００２以下である場合には制御しないので、ビット誤り率が０．０００２を超えた場合にのみ制御電流が消費され、使用電力を少なくすることができる。これは高周波受信装置を特にバッテリにより駆動される携帯機器に用いる場合に重要となる。
【０１０５】
また、本実施の形態１において、高周波増幅器２４と、局部発振器２５、混合器２６と、ＳＡＷフィルタ２７と、局部発振器２９、混合器３０およびそれらの間を接続する線路についても全て平衡としている。
【０１０６】
これによりたとえ局部発振器２５，２９の発振信号やその高調波などが混合器２６，３０やＳＡＷフィルタ２７などへ飛び込んだとしても、混合器２６とＳＡＷフィルタ２７は妨害の排除能力の高い平衡回路で形成されているので、妨害はキャンセルすることができる。
【０１０７】
従って、妨害に対して非常に強くなり、回路のＳ／Ｎ比を改善できるので、局部発振器２５，２９と混合器２６，３０やＳＡＷフィルタ２７などとの距離を小さくすることができる。
【０１０８】
また、局部発振器２５，２９と混合器２６，３０やＳＡＷフィルタ２７間を仕切る金属製の仕切り板や強固なシールド筐体等も不要あるいは簡易なものとすることができるので、高周波信号受信装置を小型化するとともにコストも安くすることができる。
【０１０９】
つまり、複雑な仕切り板を有したフレームも必要がなく、外部からの飛び込みやこの高周波信号受信装置から飛び出す高周波漏洩信号のみを遮断する簡単なカバーのみで良いため、安価な高周波信号受信装置を提供することができることとなる。
【０１１０】
更にまた、本実施の形態では高周波増幅器２４、混合器２６，３０、局部発振器２５，２９、ＳＡＷフィルタ２７ならびにそれらの間を接続する線路全てを、平衡としているので、これらの回路全体は妨害から強くなる。従って、それぞれの回路間の距離を小さくしても、局部発振器２５，２９からの発振信号妨害による回路のＳ／Ｎ比が悪化しないので、高周波増幅器２４、混合器２６，３０、局部発振器２５，２９やＰＬＬ回路３１を一体のＩＣとすることが可能となり、小型かつ生産性の良好な高周波信号受信装置を提供することが可能となる。
【０１１１】
また、受信希望チャンネルの近傍に強入力の信号を有するような場合において、同調アンテナ２０の同調周波数を前記強入力信号が除外される方向へアンテナの同調周波数をずらした状態で受信するように制御を行い、前記強入力信号による誤り率の悪化に対して改善することも可能となる。
【０１１２】
さらに、同調アンテナ２０によって予め受信希望以外のチャンネルの信号を抑圧するので、高周波増幅器２４で信号の歪みが発生し難くなる。従ってこの高周波増幅器２４は安価なバイポーラ型のトランジスタを用いることもできる。つまりこれによって、この高周波増幅器２４と混合器２６，３０、局部発振器２５，２９やＰＬＬ回路３１を、１つのバイポーラ型ＩＣに集積することが可能となり、小型かつ生産性の良好な高周波信号受信装置を提供することができる。
【０１１３】
さらに、もしも放送局からの高周波信号の周波数がずれて送られた場合においても、ＰＬＬ回路３１のプログラマブルカウンタ３３のデータを変更することで容易に対応することができる。
【０１１４】
（実施の形態２）
以下、実施の形態２における高周波受信装置について図を用いて説明する。
【０１１５】
図２は本実施の形態２における高周波受信装置へ入力される信号の模式図であり、一例を示したものである。
【０１１６】
デジタル放送に利用される周波数は、９０ＭＨｚから約９００ＭＨｚであり、既存のアナログ放送の周波数帯域が用いられる。そして、この放送帯域内には既存のアナログ放送１２０，１２１と、このアナログ放送１２０，１２１の使用していない隙間の周波数１２２を利用して放送されるデジタル放送１２３とが混在して放送されている。このように、既存のアナログ放送１２０，１２１の隙間にデジタル放送１２３が散在して放送されるので、デジタル放送１２３の信号レベル１２４はアナログ放送１２０，１２１の信号レベル１２５よりも低くしてある。なぜならば、従来のアナログ放送１２０，１２１では隣接には放送信号がないように周波数を利用していた。つまり最低１２ＭＨｚ離れた周波数間隔で設定されていたので、隣接チャンネルの排除能力は高くなくても良かった。しかし、デジタル放送が混入されて放送されることで、隣接のチャンネル（６ＭＨｚ離れたチャンネル）にも放送信号が存在することとなるので、隣接妨害に対する排除能力の高くない既存のアナログ放送の受信機を使用しているユーザにとっては、このデジタル放送の信号レベル１２４を大きくすると、そのデジタル放送信号１２３が妨害となってしまうこととなる。そこで、既存のアナログ放送の受信機にデジタル放送信号１２３による妨害の影響が出ないようにデジタル放送１２３の信号レベル１２４はアナログ放送１２０，１２１の信号レベル１２５よりも小さなレベルで放送されている。
【０１１７】
従って、デジタル放送信号の受信機には、この低いレベルの信号を精度良く受信する能力が要求されることとなる。さらに、受信希望チャンネルの信号自体のレベルは低いので、その近隣に（例えば隣接）レベルの大きなアナログ放送信号がある場合に、その大きなレベルの信号による妨害を排除できる構成が必要となってくる。
【０１１８】
そこで、本実施の形態２における高周波受信装置は、アナログ放送信号が妨害となり発生するビット誤り率を小さくするものである。以下、本実施の形態２について図を用いて説明する。図３は本実施の形態２における高周波受信装置のブロック図である。なお、図３において図１と同じものについては同じ番号を付し、その説明は簡略化する。
【０１１９】
図３において１はアンテナであり、上記周波数帯域のアナログ放送とデジタル放送とが混在した放送信号が入力される。このアンテナ１に入力された信号は、ＲＦフィルタ１３０へ供給される。このＲＦフィルタ１３０は、前記受信帯域周波数以外の不要な周波数を除去するものである。
【０１２０】
そしてこの入力フィルタ１３０の出力が供給される不平衡・平衡変換回路２１へ接続され、この不平衡・平衡変換回路２１によって不平衡回路から平衡回路へと変換している。この不平衡・平衡変換回路２１の平衡出力は、その制御端子１３１ａへの制御電圧に応じて利得を可変できる高周波増幅器１３１へ供給される。なお、この高周波増幅器１３１は、その雑音指数（以後はＮＦと言う）は良くなくとも、利得の制御範囲が大きくするとともに広帯域な周波数の増幅が可能なようにＭＯＳトランジスタ等を用い、妨害排除能力を高くするために平衡型の増幅回路としている。
【０１２１】
２６は、高周波増幅器１３１の平衡出力が、その一方の入力に接続されるとともに他方の入力には局部発振器２５の平衡出力が接続された混合器である。この混合器２６では、希望チャンネルの信号を１．２ＧＨｚの第一の中間周波数信号へ変換している。なお、この混合器２６ならびに局部発振器２５とそれらの接続についても妨害排除能力が高い平衡回路としている。
【０１２２】
１３４は、混合器２６の平衡出力が供給されるとともに、その制御端子１３４ａに供給される電圧に応じてその利得を可変できる中間周波増幅器である。この中間周波増幅器１３４では中間周波数信号が増幅されれば良く、一般的にそのＮＦは良い。従って本来は全ての増幅をこの中間周波増幅器１３４のみで行えればよいのだが、この中間周波増幅器１３４の利得の可変範囲だけでは制御範囲が狭いので、高周波増幅器１３１と中間周波増幅器１３４とによって増幅を行っている。なお、この中間周波増幅器１３４も平衡型の増幅器とし、妨害に対して強くしている。
【０１２３】
そして本実施の形態２においては、混合器２６、局部発振器２５と、この局部発振器２５にループ接続されるＰＬＬ回路３１および、中間周波増幅器１３４とはすべてをバイポーラ型トランジスタを用いた集積回路（ＩＣ）に収納している。そして１３５は、平衡・不平衡変換回路である。この平衡・不平衡変換回路１３５によって中間周波増幅器１３４の平衡出力を不平衡へ変換する。
【０１２４】
１３６は、平衡・不平衡変換回路１３５に接続されたＳＡＷフィルタ（狭帯域フィルタの一例として用いた）である。このＳＡＷフィルタ１３６の通過帯域の中心の周波数は、中間周波数である略１．２ＧＨｚであり、その通過帯域幅は１チャンネルの周波数帯域である略６ＭＨｚとしてある。そして、このＳＡＷフィルタ１３６によって受信希望チャンネルの信号以外の不要な信号は除去される。
【０１２５】
１３７はその一方の入力にＳＡＷフィルタ１３６に接続されるとともに他方の入力には第２の局部発振器１３８が接続された第２の混合器である。この第２の混合器１３７では、第一の中間周波数をこの第一の中間周波数より低い第２の中間周波信号へ変換するものである。
【０１２６】
そして、第２の混合器１３７に接続された復調部３７によって、中間周波信号を復調し、この復調部３７に接続されて復調された信号は、誤り訂正部４０によって信号の誤りが訂正され、この誤り訂正部４０によって訂正された信号が出力端子４１から出力されることとなる。
【０１２７】
１４０は、ＳＡＷフィルタ１３６の出力が接続されるとともに、受信希望チャンネル信号の電力レベルを検出するレベル検出器である。１４１は、復調部３７で復調するために最適なＳＡＷフィルタ１３６の出力信号のレベルと、高周波増幅器１３１が飽和する限界レベル値とを基準値として記憶するメモリである。また１４２は、その一方の入力にはレベル検出器１４０の出力が接続されるとともに、他方の入力にはメモリ１４１が接続された演算器である。そして該演算器１４２は、レベル検出器１４０で検出された受信希望チャンネル信号のレベルと、メモリ１４１に記憶された復調部３７で復調するために最適なＳＡＷフィルタ１３６の出力信号のレベルの基準値とを比較し、そのレベル差を出力する。
【０１２８】
次に、１４３はバンドパスフィルタであり、希望チャンネルを受信時に妨害となる中間周波数に近接した周波数の信号のみを選択的に通過させる。本実施の形態２においては受信チャンネルの前後それぞれ２チャンネル分の信号が通過できる帯域（３０ＭＨｚ）を有したフィルタとしている。
【０１２９】
１４４は、バンドパスフィルタ１４３の出力が供給され、その信号のピーク電力を検出するピーク電力検出器であり、このピーク電力検出器１４４には受信希望チャンネルを略中心として上下に片側１５ＭＨｚの帯域の周波数が入力され、これらの信号の中で最も高いレベルの信号を検出することができることとなる。
【０１３０】
次に、第２の演算器１４５は、その一方の入力にピーク電力検出器１４４の出力が供給されるとともに、他方の入力にはメモリ１４１が接続される。そして、ピーク電力検出器１４４で検出された信号のレベルと、メモリ１４１に記憶された高周波増幅器１３１が飽和する限界レベル値との差を算出し、その算出レベル誤差を出力するものである。もしピーク電力検出器１４４の出力とメモリ１４１の基準値が同じである場合、そのレベル誤差は０であり、この第２の演算器１４５の出力は０となる。これは受信チャンネルの近傍にレベルの高い信号が存在しないことを示すものである。この構成によって、希望チャンネルの信号よりも高いレベルの信号が希望チャンネルの近傍に存在するかどうかを検知できることとなる。ただし、ピーク電力検出器１４４で検出された信号のレベルがメモリ１４１に記憶された値より小さい場合もレベル差として０が出力される。
【０１３１】
１４６は、その一方の入力に演算器１４２が算出した誤差が供給されるとともに他方の入力には第２の演算器１４５が算出したレベル誤差が供給されるレベル判定器である。このレベル判定器１４６では、第２の演算器１４５から出力されたレベル差が０である場合には、演算器１４２の出力を利得制御器１４７へ出力する。一方第２の演算器１４５から出力されたレベル差の出力が０でない場合、判定器４６はこの演算器１４５の出力を利得制御器１４７へ出力するものである。
【０１３２】
なお、利得制御器１４７では第３の演算器１４６からの出力信号を積分し、雑音成分を除去して高周波増幅器１３１と中間周波増幅器１３４への制御信号を生成している。そしてこの利得制御器１４７が高周波増幅器１３１と中間周波増幅器１３４への制御信号を生成し、それぞれの制御端子１３１ａ，１３４ａへ供給することによって利得を最適に制御する。また、局部発振器２５と第２の局部発振器１３８には、それぞれにループ接続されたＰＬＬ回路が接続されている。
【０１３３】
次に、以上のように構成された高周波受信装置において、高周波増幅器１３１、中間周波増幅器１３４の利得を制御する動作について説明する。まず、希望チャンネル１２３の近傍に妨害となるアナログ信号１２０（あるいはアナログ信号１２１）がない場合について説明する。この場合、利得制御器１４７へは演算器１４２の誤差信号が供給される。つまり、利得制御器１４７はレベル検出器１４０で検出された受信希望チャンネル信号のレベルとメモリ１４１に記憶された基準値との誤差が入力されるので、この誤差に応じて制御電圧を変化させて、希望チャンネルの信号レベルを基準値に合わせることができる。
【０１３４】
次に、希望チャンネル１２３の近傍に妨害となるアナログ信号１２０（あるいはアナログ信号１２１）が存在する場合について説明する。この場合図２に示されるように、このアナログ信号１２０（あるいはアナログ信号１２１）の信号レベル１２５と希望チャンネル１２３の信号レベル１２４とのレベル差１２６が利得制御器１４７へ供給されることとなる。従って、利得制御器１４７がこのレベル差１２６に応じて制御電圧を変化させるものである。
【０１３５】
次に、本実施の形態２の高周波受信装置における高周波増幅器１３１と中間周波増幅器１３４の動作について図を用いて説明する。図４は本実施の形態２における高周波増幅器の特性図であり、高周波増幅器１３１への入力信号レベルとその出力信号レベルとの関係を示している。また、図５は同、中間周波増幅器の特性図であり、高周波増幅器１３１への入力信号レベルに対する中間周波増幅器の利得を示している。
【０１３６】
図４（ａ）はアナログ放送受信時の高周波増幅器１３１の入力信号レベルと出力信号レベルとの関係を示している。１５０は高周波増幅器１３１への入力信号のレベルであり、１５１は高周波増幅器１３１の出力信号レベルであり、１５２は高周波増幅器１３１の入力信号のレベルに対する出力信号のカーブを示している。この場合高周波増幅器１３１は、アナログ放送信号のレベル１２５に対してもレベル１２５’に対しても出力レベル１５３を出力するように制御される。
【０１３７】
一方図４（ｂ）はデジタル放送受信時の高周波増幅器１３１の入力信号レベルと出力信号レベルとの関係を示している。１５４は高周波増幅器１３１の入力信号のレベルに対する出力信号のカーブを示している。なおここでデジタル放送に対しては、誤り訂正処理を行うのでアナログに比してＮ／Ｆは悪くても良い。また、その信号内に多くの信号を有しているのでそのエネルギー量は大きいので、デジタル放送受信時の高周波増幅器１３１からの出力信号レベル１５４はアナログ放送の場合の出力レベル１５５に比べて小さくなるように設定している。
【０１３８】
ここでこの高周波増幅器１３１は、飽和レベル１５６以上のレベルの信号が入力されても利得限界１５７以上には増幅しない。従ってこの飽和レベル１５６以上のレベルの信号が、この高周波増幅器１３１へ入力されると、この高周波増幅器１３１では歪みを生じ、妨害信号等が発生することとなる。つまりデジタル放送受信時に、希望信号のみのレベルだけで利得制御すると、レベルの大きなアナログ放送信号によって高周波増幅器１３１が歪む場合がある。また高周波増幅器１３１のピーク電圧のレベルだけで利得を制御すると、レベルの大きなアナログ放送信号のレベル１２５に対し出力レベル１５５が出力されるように制御される場合がある。このときには、本来受信したいデジタル信号の出力レベルは小さくなるので受信できなくなってしまう場合がある。
【０１３９】
そこで、以上の構成によって、デジタル放送を受信時に受信チャンネルの近傍には前記飽和レベル１５３よりも大きい妨害信号が存在しないと判定された場合には、受信チャンネルのレベル１２４によって高周波増幅器１３１の利得を制御し、前記飽和レベル１５３よりも大きい妨害信号（アナログ放送信号）が存在すると判定された場合には、そのレベル差１２６の大きさに応じ、高周波増幅器１３１の利得カーブ１５４を利得カーブ１５７へと変化させるものである。これにより高周波増幅器１３１への入力信号レベルの飽和は、飽和点１５８となり、アナログ信号１２１の信号レベル１２５に対する出力はレベル１５９となり、高周波増幅器１３１は飽和しないので、高周波増幅器１３１の出力信号の歪みを小さくすることができる。
【０１４０】
しかしながら、混合器２６で第１の中間周波数へ周波数変換されたデジタル放送の受信チャンネル１２３の信号レベルは減少量１６０だけ小さくなる。そこで図５に示されるように、中間周波増幅器１３４でその減少量１６０を補うようにその利得１６１を利得１６２へと変化させ、中間周波増幅器１３４からの出力信号レベルを略一定値となるようにするものである。なお、この図５は高周波増幅器１３１への入力信号レベルと中間周波増幅器１３４の利得との関係を示し、横軸は高周波増幅器１３１への入力信号レベル１５０であり、縦軸は中間周波増幅器１３４の利得１６３である。
【０１４１】
ここで、本実施の形態２におけるこの誤り訂正部４０は、実施の形態１におけるものと同じものを用いており、この誤り訂正部４０のビタビ訂正器４２の出力が判定部４５へ接続されている。この判定部４５では、ビタビ訂正後の信号のビット誤り率が０．０００２以上であるとの旨の信号を制御部４６へ送信する。そしてこの信号を受け取った制御部４６は、利得制御器１４７に対して高周波増幅器１３１と、中間周波増幅器１３４の利得の制御を行うように指示を与えるものである。
【０１４２】
以上の構成によって、利得制御器１４７は、受信希望チャンネルのデジタル放送信号の近傍にあるレベルの高い放送信号によってビタビ訂正器４２のビット誤り率が０．０００２以上に悪化した場合に、高周波増幅器１３１と中間周波増幅器１３４との利得を制御することとなる。従って、出力端子４１でのビット誤り率が０ではなくなった時に、高周波増幅器１３１と中間周波増幅器１３４の利得の制御が行われることとなるので、ビット誤り率が安定した高周波受信装置を得ることができる。
【０１４３】
また演算器１４５では、メモリ１４１に記憶された高周波増幅器に歪みが生じる限界値と比較し、高周波増幅器１３１の利得を制御するので、受信希望チャンネルのデジタル放送信号の近傍にレベルの高い放送信号があっても、高周波増幅器１３１は飽和状態とならない。従って受信希望チャンネルのレベルを最適となるように制御することができ、高周波増幅器１３１での信号の歪みを小さくすることができるので、ビット誤り率が小さい高周波受信装置を提供することができる。
【０１４４】
また、昨今携帯電話や自動車の車内などの移動状態で、デジタル放送を視聴したいニーズが高まってきた。そこで、本実施の形態２におけるデジタル放送受信装置においては、第１中間周波数を１．２ＧＨｚとしているので、９００ＭＨｚ帯、１．５ＧＨｚ帯の周波数が使用される携帯電話や、１．９ＧＨｚ帯の周波数が使用されるＰＨＳなどの携帯機器の影響を互いに及ぼすことがないので、本実施の形態２における高周波受信装置を携帯機器内に搭載しても妨害が生じることは少なくなる。
【０１４５】
特に、デジタル信号を移動中に受信する場合、放送局との距離や方向などの電波状況が刻々と変化するので、受信希望チャンネルの受信状態において、常にビット誤り率を判定するとともに受信希望チャンネルを略中心として予め定められた周波数帯域内のアナログ放送信号のピーク電力を検出する構成とし、ビット誤り率が悪化した場合に、検出したピーク電力値に応じて即高周波増幅器あるいは、中間周波増幅器の利得を制御することができる。これにより、移動によって刻々と変化する信号レベルの変化に対し即応できることとなり、ビット誤り率を素早く改善することができる。
【０１４６】
さらに、本実施の形態においてはレベル判定器１４６によってピーク電力検出器１４４の出力による誤差と、レベル検出器１４０の出力との誤差とによって演算をしているが、これは単なる比較器としても良い。この場合、ピーク電力検出器１４４の出力とレベル検出器１４０の出力とを比較し、ピーク電力検出器１４４の出力の方が大きい場合には、利得制御器１４７に対して信号を伝達する。そして、この信号が入力された利得制御器１４７が、高周波増幅器１３１の利得を小さくする方向に制御電圧を微小量変化させる。一方中間周波増幅器１３４に対しては、高周波増幅器１３１の利得を小さくすることにより混合器１３３の出力信号レベルの減少を補うように、中間周波増幅器１３４の利得を大きくする方向へ中間周波増幅器１３４の制御電圧を微小量変化させることとなる。
【０１４７】
この構成においてはこの演算自体も不要であり、第３の演算器が不要となるので、利得を制御する場合にその応答速度は速くなる。従って、隣接チャンネル信号のレベルが変動したことによるビット誤り率の悪化等を素早く改善することができる。このことは、その信号レベルが刻々と変化するような携帯電話や自動車に高周波信号受信装置を搭載するような場合には重要な点である。
【０１４８】
さらにまた、本実施の形態２においてはレベル検出器１４０で希望チャンネルの信号レベルを検出しているが、これはピーク電力検出器１４４で検出しても良い。その場合、ピーク電力検出器１４４で希望チャンネルの信号のレベルも読み取る構成とし、演算器１４２へ出力すればよい。
【０１４９】
なお、本実施の形態２においては、受信チャンネルの信号レベルを検出するために、ＳＡＷフィルタ１３６の出力によって希望チャンネルの信号レベルを検出しているが、これはレベル検出器１４０によって希望チャンネルの周波数レベルを読み取る構成とすれば、レベル検出器１４０へピーク電力検出器１４４の入力を分割して入力しても良い。この場合、ＳＡＷフィルタ１３６によるロス分だけ信号レベルが小さくならないので、精度の良い検出ができる。
【０１５０】
なお、本実施の形態２においてはレベル検出器１４０、演算器１４２、ピーク電力検出器１４４、第２の演算器１４５やレベル判定器１４６は回路によって構成しているが、これらの各動作をプログラムにおける各手順としてマイコンで実行しても良い。この場合レベル検出器１４０、演算器１４２、ピーク電力検出器１４４、第２の演算器１４５やレベル判定器１４６等の回路を簡素化することができるので、高周波受信装置を小型化かつ安価に実現することができる。
【０１５１】
（実施の形態３）
以下、実施の形態３における高周波受信装置について図を用いて説明する。図６は本実施の形態３における高周波受信装置のブロック図である。図６において、図１や図３と同じものについては同じ番号を付し、その説明は簡略化する。図６において、２０は同調アンテナであり、この制御端子２０ｃに与えられる信号に応じて同調周波数を変化させることができるものである。
【０１５２】
１７２は、同調アンテナ２０の出力に接続されるとともにその利得を可変制御することができる高周波増幅器である。１７３はその一方の入力には高周波増幅器１７２の出力が接続されるとともに、他方の入力には局部発振器１７４の出力が接続された混合器であり、この混合器１７３によって、入力信号を第１の中間周波数へ周波数変換する。そしてＳＡＷフィルタ１３６によって中間周波増幅器１７５の出力信号から不要な信号を除去し、中間周波数のみの信号を得ている。
【０１５３】
１７５は、ＳＡＷフィルタ１３６の出力が接続されるとともにその利得を可変制御することができる中間周波増幅器であり、ＳＡＷフィルタ１３６の出力が増幅される。そして、第２の混合器１３７によって第２の中間周波数へ変換され、この中間周波信号を復調部３７で復調している。４０は復調部３７の出力に接続された誤り訂正部であり、この誤り訂正部４０の出力が出力端子４１に接続されている。ここで誤り訂正部４０は、復調部３７の出力に接続されたビタビ訂正器４２と、このビタビ訂正器４２の一方の出力が接続されたリードソロモン訂正器４３とから構成されている。ビタビ訂正器４２の他方の出力には判定部４５が接続され、この判定部４５の出力には制御部４６が接続されている。そしてこれら判定部４５や制御部４６はマイコン４４内に収められている。
【０１５４】
ここで第２の演算器１７４は、その一方の入力にフィルタ１４３を介して供給されたピーク電力検出器１４４の出力が供給され、他方の入力にはレベル検出器１４０の出力が接続される。一方演算器１４１はレベル検出器１４０の出力とメモリ１４２の出力が接続される。そしてこれら演算器１４１と第２の演算器１７４の出力がレベル判定器１４６に接続される。そして利得制御器１７９の入力にはレベル判定器１４６の出力とピーク電力検出器の出力と制御部４６の出力とが接続され、この利得制御器１７９の出力はアンテナ２０の同調周波数を変更する制御端子２０ｃへの接続された構成としている。
【０１５５】
以上のような構成によって、まず第２の演算器１７４はＳＡＷフィルタの上流から取り出した大きな妨害信号を含んだ信号とＳＡＷフィルタの下流から取り出した妨害信号が抑圧された信号のレベル差を算出し、その算出レベル誤差を出力するものである。一方演算器１４１ではレベル検出器１４０とメモリ１４２の規定値とを比較しその誤差を出力する。
【０１５６】
そしてレベル判定器１４６で、演算器１４１と第２の演算器１７４との誤差信号を比較し、それらの差が利得制御器１７９へ出力される。そして利得制御器１７９は、ピーク電力検出器１４４の出力と高周波増幅器１７２が飽和する信号レベルの値を比較する。そして、利得制御器１７９は、ピーク電力検出器１４４からの信号の出力レベルの方が大きい場合、高周波増幅器で信号に歪みが生じると判定し、レベル判定器１４６の信号のレベルに応じて高周波増幅器１７２や中間周波増幅器１７５の利得を制御するものである。なお、本実施の形態３においては、利得制御器１７９がアンテナ２０の同調周波数の制御も行っている。
【０１５７】
ここで、もしピーク電力検出器１４４の出力とレベル検出器１４０の出力が同じである場合、そのレベル誤差は０であり、この第２の演算器１７４の出力は０となる。これは受信チャンネルの近傍にレベルの高い信号が存在しないことを示すこととなる。従ってこの構成によって、希望チャンネルの信号よりも高いレベルの信号が希望チャンネルの近傍に存在するかどうかを検知できることとなる。
【０１５８】
なお、本実施の形態３における誤り訂正部４０や判定部４５は、実施の形態２におけるものと同じものを用いており、判定部４５では、ビタビ訂正による信号のビット誤り率が０．０００２以上である場合に、制御部４６に対しビット誤り率が０．０００２を超えた旨の信号を伝送し、そしてこの信号を受け取った制御部４６は、前記利得制御器１７９に対して高周波増幅器１７２や中間周波増幅器１７５の制御を行う旨の信号を伝送する。
【０１５９】
すなわち、判定部４５は、ビット誤り率が０．０００２以上に悪化した場合にのみ、利得制御器１７９に対して高周波増幅器１７２と中間周波増幅器１７５の利得を制御するように指示することとなる。従って、出力端子４１でのビット誤り率が０ではなくなった時に、高周波増幅器１７２と中間周波増幅器１７５の利得の制御が行われることとなるので、ビット誤り率が安定した高周波受信装置を得ることができる。
【０１６０】
また、実施の形態２同様に、受信希望チャンネルの受信状態において、常にビット誤り率を判定するとともに受信希望チャンネルを略中心として予め定められた周波数帯域内のアナログ放送信号のピーク電力を検出するので、移動によって刻々と変化する信号レベルの変化に対し即応できることとなり、ビット誤り率を素早く改善することができる。
【０１６１】
さらに本実施の形態３においては、利得制御器１７９が同調アンテナ２０の同調周波数の制御も行っているので、利得制御器１７９はレベル判定器より誤差信号を受け取ると、この同調アンテナ２０の同調周波数を希望チャンネルの周波数より微小量だけ変化させ、隣接チャンネルの信号を減衰させる制御を行っている。つまり、これによって希望チャンネルの近傍にある妨害アナログ信号の減衰量を大きくすることができる。しかしながら、同調アンテナ２０の同調周波数を希望チャンネルの周波数から変化させると、希望チャンネル信号に対してもロスが大きくなってしまう。
【０１６２】
そこで、本実施の形態３においては第２の演算器１７４の出力が０でない場合、つまり希望チャンネル１２３の近傍にアナログ放送信号１２０あるいはアナログ放送信号１２１が存在する場合に、制御部４６は同調アンテナ２０の同調周波数を希望チャンネルの周波数より微小量だけ変化させるとともに、それによる信号のロスを補うために、高周波増幅器１７２あるいは中間周波増幅器１７５の利得が大きくなる方向へ制御を行う。これにより高周波増幅器１７２へ隣接チャンネルの妨害信号が供給され難くなり、高周波増幅器１７２の歪みは小さくなるので、ビット誤り率を小さくすることができる。
【０１６３】
なお、高周波増幅器１７２、混合器１７３、局部発振器１７４とについては不平衡回路としているが、実施の形態２と同様に平衡回路としても良い。
【０１６４】
（実施の形態４）
以下、実施の形態４における高周波受信装置について図を用いて説明する。図７は本実施の形態４における高周波受信装置のブロック図である。図７において、図１あるいは図３と同じものについては同じ番号を付し、その説明は簡略化する。
【０１６５】
図７において、アンテナ２０は同調アンテナであり、その制御電圧に応じて同調周波数を変化させている。この同調アンテナ２０の出力には高周波増幅器１７２が接続されている。１７３は、高周波増幅器１７２の出力がその一方の入力に接続されると共に他方の入力には局部発振器１７４の出力が接続された混合器であり、この混合器１７３の出力には中間周波増幅器１７５が接続されている。なおこの中間周波増幅器１７５と高周波増幅器１７２とにはその制御端子へ供給する電圧に応じて利得を制御できるようになっている。そして中間周波増幅器１７５の出力がＳＡＷフィルタ１３６に接続される。
【０１６６】
１８０は、ＳＡＷフィルタ１３６の出力がその一方の入力に接続されるとともに局部発振器１８１の出力が接続された混合器であり、１８２は、ＳＡＷフィルタ１３６の出力がその一方の入力に接続されるとともに局部発振器１８１の出力が９０度位相器１８３を介して接続された混合器である。
【０１６７】
この局部発振器１８１は第１の中間周波数と略同じ発振周波数の信号を発信し、混合器１８０，１８２によって局部発振器１８１の発信信号と第１の中間周波数信号とを混合し、それぞれ位相が９０度異なったＩ，Ｑ信号を直接取り出している。従って別途Ｉ，Ｑ検波器等を設ける必要がないので、安価かつ小型な高周波受信装置を実現することができる。
【０１６８】
そして、混合器１８０，１８２の出力のＩ，Ｑ信号は復調器１８７へ供給され、復調される。そして、その復調器１８７は、レベル検出器１８４、演算器１８５、レベル判定器１８９と利得制御器１９０と同じ１つのマイコンの内に収納されている。従って小型な高周波受信装置を実現することができる。なお、レベル検出器１８４は、復調器１８７の信号のレベルとメモリ１８６に記憶された規定値との誤差を算出するものである。この規定値は、復調器１８７によって復調される信号が予め定められた信号レベルとなる場合の信号のレベルとしている。
【０１６９】
次に、１９１はその一方の入力にフィルタ１４０の出力が接続されるとともに、他方の入力にはメモリ１９２が接続されたピークレベル検出器である。なお、このピークレベル検出器１９１の出力は、判定器１８９に接続されている。また、このメモリ１９２内にはアナログ放送として判定するレベルの電力値が収納されており、本実施の形態４においては、デジタル放送信号の強電界下におけるデジタル放送信号の信号レベルを基準値として記憶している。
【０１７０】
そして、このピークレベル検出器１９１で、受信チャンネルを除いた隣接の数チャンネル分の帯域のピーク電力を検出し、その検出レベルとメモリ１９２の基準値との差が予め定められた値以上である場合は、歪みを生じる高いレベルのチャンネルが存在するとして、妨害チャンネルが存在する旨の信号をレベル判定器１８９へ伝送する。
【０１７１】
レベル判定器１８９はピークレベル検出器１９１から妨害チャンネルがある旨の信号が伝送されない場合には、演算器１８５の誤差出力の有無を示す情報を利得制御器１９０へ伝送する。そしてこの利得制御器１９０では、誤差がある旨の信号を受けた場合には予め定められた電圧分だけ、高周波増幅器１７２と中間周波増幅器１７５の利得を制御する。
【０１７２】
そしてレベル判定器１８９は、ピークレベル検出器１９１から妨害チャンネルがある旨の信号を受け取った場合には、妨害チャンネルの有無を示す情報を利得制御器１９０へ伝送する。一方制御部４６は、判定部４５でのビット誤り率が０．０００２を超えたとの判定結果によって、利得制御器１９０へその旨の信号を送る。すると利得制御器１９０では、制御部４６からの信号に基づき予め定められた電圧だけ高周波増幅器１７２と中間周波増幅器１７５との利得制御電圧を変化させ、高周波増幅器１７２の利得を小さくするとともに、中間周波増幅器１７５の利得を高周波増幅器１７２の利得減少分を補うようにその利得を大きくするものである。
【０１７３】
また、利得制御器１９０は、受信希望チャンネルのデジタル放送信号の近傍にあるレベルの高い放送信号によってビタビ訂正器４２のビット誤り率が０．０００２以上に悪化した場合に、高周波増幅器１７２と中間周波増幅器１７５との利得を制御することとなる。従って、出力端子４１でのビット誤り率が０ではなくなった時に、高周波増幅器１７２と中間周波増幅器１７５との利得の制御が行われることとなるので、ビット誤り率が安定した高周波受信装置を得ることができる。
【０１７４】
さらにピークレベル検出器１９１では、検出されたピークレベルとメモリ１９２に記憶された限界値と差に応じて、高周波増幅器１７２の利得を制御するので、受信希望チャンネルのデジタル放送信号の近傍にレベルの高い放送信号があっても、高周波増幅器１７２は飽和状態とならない。従って受信希望チャンネルのレベルを最適となるように制御することができ、高周波増幅器１７２での信号の歪みを小さくすることができるので、ビット誤り率が小さい高周波受信装置を提供することができる。
【０１７５】
（実施の形態５）
以下、実施の形態５における高周波受信装置について図を用いて説明する。この実施の形態５は、本発明をシングルコンバージョンチューナに応用した例である。図８は本実施の形態５における高周波受信装置のブロック図である。図８において、図１あるいは図３と同じものについては同じ番号を付し、その説明は簡略化する。図８において、２００はアンテナ１に接続されたアンテナフィルタであり、このアンテナフィルタ２００は希望チャンネルの周波数がその同調周波数となる単同調型フィルタとしている。そしてこのアンテナフィルタ２００の出力が高周波増幅器１７２に接続されている。
【０１７６】
２０１は、高周波増幅器１７２での出力が接続されて、増幅された信号が供給される段間フィルタであり、同調回路を２つ有した複同調型フィルタである。なお、複同調型フィルタ２０１は、同調点が２箇所にあるため、希望チャンネルの周波数がその通過帯域の略中心となるようにそれぞれの同調点を調整している。
【０１７７】
２０２は、段間フィルタ２０１の出力がその一方の入力に接続されるとともに、他方の入力には周波数可変局部発振器２０３の出力が接続される混合器である。この混合器２０２では入力された高周波信号のうちの希望チャンネル信号を、約５７ＭＨｚの中間周波数へ変換している。
【０１７８】
２０４は混合器２０２の出力が接続されるＳＡＷフィルタであり、このＳＡＷフィルタ２０４の通過帯域は約６ＭＨｚであり、その中心の周波数は略中間周波数である５７ＭＨｚとし、隣接信号等６ＭＨｚ以上離れた信号を確実に減衰させている。
【０１７９】
２０５は、ＳＡＷフィルタ２０４の出力が接続されるとともに、その制御端子２０５ａに供給される電圧に応じてその増幅する利得を可変できる中間周波増幅器である。この中間周波増幅器２０５では中間周波数信号のみが入力されるので、この中間周波増幅器２０５が妨害のアナログ放送信号で飽和することはなく、中間周波増幅器２０５の歪みを小さくすることができる。ただし、アンテナフィルタ２００や、段間フィルタ２０１さらにＳＡＷフィルタ２０４等によって信号がロスされるので、この中間周波増幅器２０５はＮＦが良いトランジスタを用いる必要がある。
【０１８０】
２０６は、中間周波増幅器２０５の出力が接続されるアナログ・デジタル変換器である。そしてこのデジタルに変換された信号が復調器２０７へ供給され、この復調器２０７で復調された信号が誤り訂正部４０へ出力される。そしてこの誤り訂正部４０の一方の出力は出力端子４１へ接続され、他方の出力は判定部４５へ接続される。そしてこの判定部４５の出力が制御部４６へ接続される。
【０１８１】
ここで２１０は、復調器２０７の出力が接続されて、復調器２０７の信号のレベルを検出するレベル検出器である。そして、２１１はその一方の入力にはレベル検出器２１０の出力が接続されるとともに、他方の入力にはメモリ２１２が接続された演算器であり、この演算器２１１は検出された復調器２０７の信号のレベルとメモリ２１２の値との誤差を演算している。なお、メモリ２１２には復調器の最適な信号レベルの値を記憶させておく。つまり、この演算器２１１によってレベル検出器２１０で検出された信号レベルが最適値となっているかどうかを判定することができる。
【０１８２】
２１３は、その一方の入力に演算器２１１の出力が接続されるとともに他方の入力には制御部の出力が接続された利得制御器であり、この利得制御器２１３の出力は中間周波増幅器２０５の制御端子２０５ａとに接続されている。従って、この利得制御器２１３は演算器２１１からの誤差信号がある場合、この誤差に応じて制御電圧を変化させ、中間周波増幅器２０５の利得を変化させる。
【０１８３】
２１５は、混合器２０２の出力が接続されたピーク電力検出器である。２１６は、ピーク電力検出器２１５の出力がその一方の入力に接続されるとともに、他方の入力にはメモリ２１７が接続されたレベル判定器であり、このメモリ２１７内には高周波増幅器１７２に歪みを生じる限界値のレベルの電力値が基準値として収納されている。そして判定器２１６は、ピーク電力検出器２１５とメモリ２１７内の基準値とのレベル差を演算する。そして、レベル判定器２１６の出力と高周波増幅器１７２の制御端子１７２ａとの間には利得制御器２１８が挿入されている。なお、利得制御器２１３の出力はこの利得制御器２１８へも供給される構造としてある。
【０１８４】
以下、本実施の形態５の動作について説明する。アンテナフィルタ２００へ入力された信号は、希望チャンネルの周波数がその同調周波数であるので、希望チャンネルの信号以外は減衰される。しかしながら、このアンテナフィルタ２００は信号のロスを小さくし、ＮＦを良くするために、単同調回路を用いているので、希望チャンネル周波数より６ＭＨｚしか離れていない隣接チャンネルの信号は１０ｄＢ程度しか減衰しない。一方アナログ放送とデジタル放送では略４０ｄＢ以上のレベル差があるため、アンテナフィルタ２００を通過しても隣接チャンネルの信号の方がそのレベルは大きいままとなっている。
【０１８５】
そこで本実施の形態５では、ピーク電力検出器２１５で、受信チャンネルを除いた隣接数チャンネル分の帯域のピーク電力を検出し、このピーク電力検出器で検出された信号レベルがメモリ２１７の基準値以上である場合は、高周波増幅器１７２が歪むと判定し、そのレベル差を利得制御器２１８へ出力するものである。そして利得制御器２１８は受け取った誤差に応じて、高周波増幅器１７２の制御端子の制御電圧を変化させるものである。
【０１８６】
一方演算器２１１は、レベル検出器２１０で検出された信号レベルと最適値との誤差信号を利得制御器２１３へ出力し、中間周波増幅器２０５の利得が制御される。
【０１８７】
ここで、利得制御器２１８はレベル判定器２１６からの信号に応じて高周波増幅器１７２の利得を制御する。このとき、妨害信号のレベルが大きすぎるような場合に、利得制御器２１８は高周波増幅器１７２の利得が小さくなってしまい、下流の中間周波増幅器２０５の最大利得でも復調部の電圧が所定の値とならないようなことが発生し、信号のＮＦが悪化しビット誤り率が悪化する。そこで、本実施の形態５においては、中間周波増幅器２０５の利得が最大利得（制御電圧が最大電圧）である場合には、利得制御器２１３は利得制御器２１８に電圧を増やし、高周波増幅器１７２の利得を大きくするように指示をする。
【０１８８】
以上の構成によって、利得制御器２１８は、受信希望チャンネルのデジタル放送信号の近傍にあるレベルの高い放送信号によってビタビ訂正器４２のビット誤り率が０．０００２以上に悪化した場合に、高周波増幅器１７２と中間周波増幅器２０５との利得を制御することとなる。従って、出力端子４１でのビット誤り率が０ではなくなった時に、高周波増幅器１７２と中間周波増幅器２０５の利得の制御が行われることになるので、ビット誤り率が安定した高周波受信装置を得ることができる。
【０１８９】
また、ピーク電力検出器２１５が受信希望チャンネル信号を略中心としてある規定の周波数帯域内に存在するチャンネル信号のレベルを検出し、このレベルが受信希望チャンネルの信号よりも大きい場合、この利得制御器２１８が高周波増幅器に前記レベルの信号が入力されても飽和しないようにその利得を小さくする方向へ制御する。従って受信希望チャンネルのデジタル放送信号の近傍にアナログ放送信号があっても、高周波増幅器１７２が飽和状態とならず、受信希望チャンネルのレベルを最適となるように制御することができるので、ビット誤り率が小さい高周波受信装置を提供することができる。
【０１９０】
また、高周波増幅器１７２の上流に単同調フィルタ２００を有しているので、隣接チャンネル等の妨害信号を予め減衰させることができる。従って、高周波増幅器１７２での歪みはさらに発生し難くなる。
【０１９１】
（実施の形態６）
図９は、実施の形態６における高周波信号受信装置のブロック図である。図９において、図１、図３と同じものについては同じ番号を付しその説明は簡略化する。まず実施の形態６における選局部２２は、高周波信号が入力される入力端子３０１と、この入力端子３０１に入力された信号が供給される高周波増幅器３０２（ＡＧＣ回路の一例として用いた）と、この高周波増幅器３０２の出力が一方の入力に供給されるとともに他方の入力には局部発振回路３０８の出力信号が供給される混合器３０７と、この混合器３０７の出力が供給されるフィルタ３０９と、混合器３０７の出力が供給されるＡＧＣ制御回路３０６と、フィルタ３０９の出力が供給される中間周波増幅器３１１（第２のＡＧＣ回路の一例として用いた）と、この中間周波増幅器３１１の出力が一方の入力に供給されるとともに他方の入力には局部発振回路３１３の出力信号が供給される混合器３１４と、この混合器３１４の出力が供給されるフィルタ３１５とから構成されている。
【０１９２】
そしてこの選局部２２の出力が接続された復調部３７には、フィルタ３１５の出力が供給される復調部利得制御器３１６と、この復調部利得制御器３１６の出力が供給されるＡＤコンバータ３１７と、このＡＤコンバータ３１７の出力が供給されるデジタルフィルタ３１８と、このデジタルフィルタ３１８の出力が供給される復調回路３１９と、デジタルフィルタ３１８の出力が供給されるとともに復調部利得制御器３１６の利得制御するＡＧＣ制御回路３２１とから構成されている。
【０１９３】
なお、ここで３０５は、ＡＧＣ制御回路３２１の出力電圧とＡＧＣ制御回路３０６の出力電圧とが入力に供給されるとともに、その出力電圧が高周波増幅器３０２の利得制御用端子３２２に供給される重み付け回路である。
【０１９４】
一方３１０は、ＡＧＣ制御回路３２１の出力電圧とＡＧＣ制御回路３１２の出力電圧とが入力に供給されるとともに、その出力電圧が中間周波増幅器３１１の利得制御用端子３２３に供給される重み付け回路である。
【０１９５】
そして前記復調部３７の出力端子３２０には、実施の形態１と同様に誤り訂正器４０、出力端子４１や判定器４５が接続され、この判定器４５に接続された制御部４６の出力は、第１の重み付け回路３０５と第２の重み付け回路３１０の入力に接続された重み付け制御回路３０４の入力端子３０３へ供給される。
【０１９６】
以上のように構成された高周波信号受信装置において、混合器３０７から出力される第１の中間周波数を入力信号より高い周波数とし、混合器３１４から出力される第２の中間周波数を入力信号より低い周波数としたものについて、その動作を説明する。
【０１９７】
入力端子３０１に入力される高周波信号レベルは、例えば−７０ｄＢｍ以上になると高周波増幅器３０２の利得制御が働き、−７０ｄＢｍ以下になると高周波増幅器３１１の利得制御が働き、さらにそれ以下になると高周波増幅器３１６の利得制御がそれぞれ働くものとしている。
【０１９８】
入力端子３０１には、例えば９０ＭＨｚから７７０ＭＨｚの高周波信号が入力される。この高周波信号は、高周波増幅器３０２で増幅されたあと、局部発振回路３０８の出力とにより混合器３０７で混合されて例えば１２００ＭＨｚの第１の中間周波数に変換されてＡＧＣ制御回路３０６に入力される。また、混合器３０７の出力はフィルタ３０９で希望信号以外の信号が抑圧される。
【０１９９】
フィルタ３０９の出力信号は中間周波増幅器３１１で増幅された後、混合器３１４で局部発振回路３１３の出力と混合されて例えば４ＭＨｚの第２の中間周波数に変換され、その後フィルタ３１５で希望信号以外の信号がさらに抑圧され、ＡＧＣ制御回路３１２により中間周波増幅器３１１が利得制御される。
【０２００】
さらに、フィルタ３１５から出力される４ＭＨｚの第２の中間周波数は復調部利得制御器３１６にて増幅され、この復調部利得制御器３１６からの出力はＡＤコンバータ３１７にてデジタル信号に変換された後、デジタルフィルタ３１８により希望信号以外の信号がさらに抑圧されて復調回路３１９に入力される。そしてこの復調回路３１９で復調された出力は、出力端子３２０から出力される。
【０２０１】
また、デジタルフィルタ３１８からの出力信号はＡＧＣ制御回路３２１に入力され、このＡＧＣ制御回路３２１からの出力電圧が復調部利得制御器３１６に加えられて復調回路３１９への信号レベルが一定になるように利得制御される。
【０２０２】
さらに、制御部４６によってデータ用入力端子３０３に加えられた制御用データは、重み付け制御回路３０４を介して、重み付け回路３０５の重み付け係数および重み付け回路３１０に供給され、夫々の重み付け回路３０５，３１０の重み付け係数をそれぞれ独立に設定することができる。このことにより、隣接チャンネルの妨害信号レベル（ＡＧＣ制御回路３０６の出力）と希望信号レベル（ＡＧＣ制御回路３２１の出力）に対する重み付けを適宜変えることができ、混合器３０７および混合器３１４からの信号レベルを任意に設定することができる。
【０２０３】
これにより、希望信号レベルと隣接チャンネルの信号レベルとが入力されるＡＧＣ制御回路３０６からの出力電圧（以降ＶＡＧＣ１と言う）と、フィルタ３０９とフィルタ３１５とデジタルフィルタ３１８により隣接チャンネルの信号レベルが十分に抑圧されて希望信号レベルのみが入力されるＡＧＣ制御回路３２１からの出力電圧（以降ＶＡＧＣ３と言う）とに、それぞれ独立に重み付けをすることにより混合器３０７からの出力信号レベルに対する希望信号レベルと隣接チャンネルの信号レベルとの寄与率を決定できるものである。
【０２０４】
また、希望信号レベルとフィルタ３０９により抑圧された隣接チャンネルの信号レベルとが入力されるＡＧＣ制御回路３１２からの出力電圧（以降ＶＡＧＣ２と言う）と、フィルタ３０９とフィルタ３１５とデジタルフィルタ３１８により隣接チャンネルの信号レベルが十分に抑圧されて希望信号レベルのみが入力されるＡＧＣ制御回路３２１からの出力電圧（以降ＶＡＧＣ３と言う）とに、それぞれ独立に重み付けをすることにより混合器３１４からの出力信号レベルに対する希望信号レベルと隣接チャンネルの信号レベルとの寄与率を決定できる。
【０２０５】
このとき、ＡＧＣ制御回路３０６からのＶＡＧＣ１とＡＧＣ制御回路３１２からのＶＡＧＣ２とＡＧＣ制御回路３２１からのＶＡＧＣ３及び、重み付け回路３０５の出力電圧（以降ＶＡＧＣ０と言う）と重み付け回路３１０の出力電圧（以降ＶＡＧＣ０’）とは、すべて３Ｖで利得最大とし、０Ｖで利得が最小となるようにしている。また、各重み付け回路３０５，３１０における重み付け係数はすべて０から１までの値で、夫々が独立に設定可能としている。
【０２０６】
例えば、重み付け回路３０５の重み付け係数をそれぞれ１とし、重み付け回路３１０の重み付け係数を任意の値とした場合について説明する。ただしここで、入力端子３０１に入力される高周波信号レベルは例えば−７０ｄＢｍ以上になると高周波増幅器３０２の利得制御が、−７０ｄＢｍ以下になると中間周波増幅器３１１の利得制御が、さらに例えば−９０ｄＢｍ以下より小さいレベルでは復調部利得制御器３１６の利得制御がそれぞれ働くものとしている。
【０２０７】
まず、希望信号レベルに対して例えば隣接チャンネルのような妨害信号のレベルが小さく無視でき、かつ希望信号レベルが−９０ｄＢｍ以下の場合における高周波信号受信装置のＣ／Ｎについては、−９０ｄＢｍ以下である希望信号レベルによって利得制御されるので、ＶＡＧＣ１が利得最大になるように３Ｖとなり、ＶＡＧＣ３は０Ｖから３Ｖの間となるが、ＶＡＧＣ０は３Ｖ以上にならないので３Ｖとなる。さらにＶＡＧＣ２は３Ｖとなり、ＶＡＧＣ３は０Ｖから３Ｖの間となるが、ＶＡＧＣ０’は３Ｖ以上にならないので３Ｖとなる。
【０２０８】
次に、希望信号レベルに対して例えば隣接チャンネルのような妨害信号のレベルが小さく、かつ希望信号レベルが−７０ｄＢｍから−９０ｄＢｍの場合について説明する。この場合には、−７０ｄＢｍから−９０ｄＢｍである希望信号レベルによって利得制御され、ＶＡＧＣ１が利得最大になるように３Ｖに利得制御され、ＶＡＧＣ３は０Ｖから３Ｖの間となるが、ＶＡＧＣ０は３Ｖ以上にならないので３Ｖとなる。さらにＶＡＧＣ２が０から３Ｖで利得制御されて、ＶＡＧＣ３は０Ｖとなるので無視でき、ＶＡＧＣ０’はＶＡＧＣ２により決定される。
【０２０９】
図１０は、入力信号レベルに対する高周波信号受信装置の雑音指数を表した図である。図１０において、横軸４１０は信号レベル（ｄＢｍ）であり、縦軸４１１は高周波信号受信装置の雑音指数（ｄＢ）であり、４１２は信号レベルが−７０ｄＢｍの点を示している。図１０において、希望信号レベルが−７０ｄＢｍ以下の入力信号レベルの領域４０１では、高周波増幅器３０２の利得が最大となって高周波増幅器３０２の雑音指数が支配的となるため、一定値で低い雑音指数４０５となる。
【０２１０】
図１１は、希望信号レベルに対する高周波信号受信装置のＣ／Ｎを表した図である。図１１において、横軸５１０は希望信号レベル（ｄＢｍ）であり、縦軸５１１は高周波信号受信装置のＣ／Ｎであり、５１２は希望信号レベル−７０ｄＢｍの点である。図１１において、希望信号レベルが−７０ｄＢｍ以下の小さいレベルの領域５０１では、一定値で低い雑音指数４０５（図１０）に対して希望信号レベルが大きくなるため、希望信号レベルに応じてＣ／Ｎが良くなる。この様子を示したものが５０５で示されている。
【０２１１】
次に、希望信号レベルに対して例えば隣接チャンネルのような妨害信号のレベルが小さく、かつ希望信号レベルが−７０ｄＢｍ以上の場合における高周波信号受信装置のＣ／Ｎについて説明する。この場合、−７０ｄＢｍ以上である希望信号レベルによって利得制御されるので、ＶＡＧＣ１が利得最大から利得最小になるように例えば０Ｖから３Ｖの間となり、ＶＡＧＣ２は利得最小である０Ｖになるので無視できる。従って、ＶＡＧＣ０はＶＡＧＣ１のみによって決定され、高周波増幅器３０２の利得が制御される。一方中間周波増幅器３１１に対しては、ＶＡＧＣ２が利得最小になるように０Ｖに利得制御され、ＶＡＧＣ２は利得最小である０Ｖに利得制御されるので、ＶＡＧＣ０’はＶＡＧＣ１のみによって利得制御されることとなる。
【０２１２】
つまり、図１０において入力信号が−７０ｄＢｍ以上の大きいレベルの領域４０２では、高周波増幅器３０２の利得が小さくなるように利得制御されるので混合器３０７の雑音指数やフィルタ３０９を含めた以降の雑音指数が無視できなくなり、高周波信号受信装置の雑音指数は４０３に示すように徐々に大きくなる。
【０２１３】
従って、図１１において希望信号レベルが−７０ｄＢｍ以上の大きい領域５０２では、希望信号レベルは大きくなるが高周波信号受信装置の雑音指数は図１１の領域５０２に示すようにほぼ同じ量だけ悪くなるので、結果として一定のＣ／Ｎ値５０３を示すことになる。
【０２１４】
次に、希望信号レベルが例えば−７０ｄＢｍと一定で、隣接チャンネルの信号レベルが−７０ｄＢｍ以下の場合での高周波信号受信装置のＣ／Ｎについて説明する。この場合には、−７０ｄＢｍである希望信号レベルによって利得制御されるので、希望信号レベルが−７０ｄＢｍのときは、ＶＡＧＣ１が利得最大になるように３Ｖで利得制御されるが、ＶＡＧＣ３は利得最小である０Ｖに利得制御されるので無視でき、高周波増幅器３０２の制御電圧はＶＡＧＣ１となり利得が制御される。また中間周波増幅器３１１に対しては、ＶＡＧＣ２は利得最小になるように０Ｖで利得制御されるが、ＶＡＧＣ３は利得最小である０Ｖに利得制御されるので、ＶＡＧＣ０’は０Ｖとなる。
【０２１５】
つまり、高周波信号受信装置の雑音指数は図１０の４０４で示すように低い雑音指数を示し、高周波信号受信装置のＣ／Ｎは図１１の５０４で示すように良好な値を示すことになる。
【０２１６】
図１２は、希望信号レベルが−７０ｄＢｍ時の隣接チャンネルの信号レベルに対する高周波信号受信装置のＣ／Ｎを表す。図１２において、横軸６１０は隣接チャンネルの信号レベル（ｄＢｍ）であり、縦軸６１１は高周波信号受信装置の雑音指数（ｄＢ）であり、６１２は隣接チャンネルの信号レベルが−７０ｄＢｍの点である。図１２において、隣接チャンネルの信号レベルが−７０ｄＢｍより小さい領域６０１では−７０ｄＢｍである希望信号レベルによる利得制御が支配的となるので高周波信号受信装置のＣ／Ｎは６０４で示すように良好な値を示すことになる。つまり、希望信号レベルより隣接チャンネルの信号レベルが低いために従来例と同じく受信状態に悪い影響を与えないのである。
【０２１７】
次に、希望信号レベルが例えば−７０ｄＢｍと一定で、隣接チャンネルの信号レベルが−７０ｄＢｍ以上の場合での高周波信号受信装置のＣ／Ｎについて説明する。この場合には、ＶＡＧＣ１は希望信号レベルより大きい隣接チャンネルの信号レベルに応じて利得最大から利得最小になるように例えば３Ｖから０Ｖの間で高周波増幅器３０２が利得制御されるので、高周波増幅器３０２からは利得制御された隣接チャンネルの信号レベルと小さな希望信号レベルとが出力される。この高周波増幅器３０２からの出力信号のうち隣接チャンネルの信号はフィルタ３０９およびフィルタ３１５および抑圧効果の優れたデジタルフィルタ３１８でほとんど除去されるため、小さな希望信号レベルのみがＡＧＣ制御回路３２１で検出されることになり、ＶＡＧＣ３は小さな希望信号レベルに対して利得最大である３Ｖ側の電圧が出力される。
【０２１８】
以上のように、ＶＡＧＣ１は最小利得側である０Ｖに近い電圧となるが、ＶＡＧＣ３は利得最大である３Ｖに近い電圧が出力されるので、ＶＡＧＣ０は、夫々の重み付け係数を適宜設定することにより利得最大側への補正が可能となる。
【０２１９】
これらの動作によって、利得最大側に補正されたＶＡＧＣ０により利得制御された高周波増幅器３０２からは隣接チャンネルの信号と小さな希望信号とが出力され、混合器３０７およびフィルタ３０９を介して中間周波増幅器３１１に入力されて隣接チャンネルの信号のみフィルタ３０９で少し抑圧される。
【０２２０】
また、ＶＡＧＣ２は、希望信号レベルより大きい隣接チャンネルの信号レベルに応じて利得最大から利得最小になるように例えば３Ｖから０Ｖの間で利得制御されるので、中間周波増幅器３１１からは利得制御された隣接チャンネルの信号レベルと小さな希望信号レベルとが出力される。
【０２２１】
さらに、中間周波増幅器３１１からの出力信号のうち隣接チャンネルの信号はフィルタ３１５および抑圧効果の優れたデジタルフィルタ３１８でほとんど除去されるため、隣接チャンネルの信号レベルの大きさに応じた小さな希望信号レベルのみがＡＧＣ制御回路３２１で検出されることになり、ＡＧＣ制御回路３２１の出力電圧ＶＡＧＣ３は小さな希望信号レベルに対して利得最大である３Ｖ側の電圧が出力されることとなる。
【０２２２】
従って、ＶＡＧＣ２は隣接チャンネルの信号レベルの大きさに応じた０Ｖから３Ｖの間となり、ＶＡＧＣ３は利得最大である３Ｖに近い電圧が出力されるので、ＶＡＧＣ０’はＶＡＧＣ２に対する重み付け回路３１０とＶＡＧＣ３に対する重み付け回路３１０の重み付け係数を適宜設定することにより利得最大側への補正が可能となる。
【０２２３】
ここで、ＶＡＧＣ１に対する重み付け回路３０５の重み付け係数に対してＶＡＧＣ３に対する重み付け回路３１０の重み付け係数を大きくし過ぎると、ＶＡＧＣ０が大きくなり過ぎて高周波増幅器３０２の利得が上がり過ぎることになる。従って、夫々の重み付け係数の値は、混合器３０７でのＩＭ３等による妨害の影響が発生しないような値とすることが重要である。
【０２２４】
また、重み付け回路３１０に関して、ＶＡＧＣ２に対する重み付け回路の重み付け係数に対してＶＡＧＣ３に対する重み付け係数を大きくし過ぎると、重み付け回路３１０からの出力電圧ＶＡＧＣ０’が大きくなり、中間周波増幅器３１１の利得が大きくなり過ぎることとなる。従って、夫々の重み付け係数の値は、混合器３１４でのＩＭ３等による妨害の影響が発生しないような値とすることが重要である。
【０２２５】
以上により、希望信号レベルに対して隣接チャンネルの信号レベルが大きい場合でも、高周波増幅器３０２の利得は利得最大の方に補正され高周波増幅器３０２の雑音指数が小さくなるので、高周波信号受信装置の雑音指数は改善され、図１０において入力信号レベルが−７０ｄＢｍ以上の領域４０２では、雑音指数は４０６となって従来例４０３に比べて改善される。また、この雑音指数が改善された分だけ高周波信号受信装置のＣ／Ｎは改善される。これによりＣ／Ｎは改善され、図１２に示されるように従来のＣ／Ｎである６０３から６０５へ改善している。
【０２２６】
さらに、中間周波増幅器３１１の利得は利得最大の方に補正されるので、高周波信号受信装置の雑音指数は改善され、図１０において入力信号レベルが−７０ｄＢｍ以上の領域４０２では雑音指数は４０７とでき、従来の雑音指数４０６に比べてさらに改善できる。つまり、この雑音指数がさらに改善された分だけ高周波信号受信装置のＣ／Ｎは改善されることとなる。このＣ／Ｎの改善される様子を図１２の６０６で示し、重み付け回路３０５のみである場合のＣ／Ｎ６０５に比べてさらに改善できる。
【０２２７】
また、データ端子３０３には制御部４６の出力が接続されており、データ用入力端子３０３に加えられた制御用データを受けて重み付け制御回路３０４を設けることができるので、重み付け回路３０５の重み付け係数を独立に制御部４６から容易に設定することができる。
【０２２８】
以上のように、希望信号に対して大きな隣接チャンネルの妨害信号があっても、制御部４６からのデータに基づいて、希望信号レベルと隣接チャンネルの信号レベルに重み付け係数を乗じたものとした重み付け回路３０５からの出力電圧ＶＡＧＣ０によって高周波増幅器３０２を利得制御することにより、高周波信号受信装置のＣ／Ｎを改善でき安定した受信状態の高周波信号受信装置が提供できるものである。
【０２２９】
また、本実施の形態６においては、上記利得制御に加え、ビット誤り率の信号を検出し、マイコン等により高周波増幅器３０２の利得制御用の電圧を変化させて隣接チャンネルの妨害信号に対する改善を行っている。これによりさらに高周波増幅器３０２に対して最適な利得制御を行うことができ、隣接チャンネルの妨害信号に対する改善ができるので、刻々と変化する移動中においても安定した受信状態を提供できるものである。なお、本実施の形態６においてはビット誤り率の信号を検出したが、これは復調回路３１９からのＣ／Ｎでも良い。
【０２３０】
また、本実施の形態６では、混合器３０７からの出力される周波数が入力信号の周波数より高い周波数の場合を説明したが、入力信号の周波数より低い周波数の場合でも全く同じである。さらに、混合器３１４のかわりにダイレクトコンバージョン方式を用いても改善効果は同じである。
【０２３１】
（実施の形態７）
以下に実施の形態７における高周波受信装置について図を用いて説明する。図１３は、本実施の形態７におけるアンテナ部のブロック図である。図１３において、アンテナ部７００は、長さが４０ｍｍの棒状のアンテナ７０１と、このアンテナ７０１の出力が接続された整合器７０２とから構成されている。
【０２３２】
この整合器７０２の入力端子７０３はスイッチ７０４の共通端子７０４ａに接続され、このスイッチ７０４の一方の端子７０４ｂと出力端子７０５との間にはＵＨＦ用整合器７０６が挿入されている。さらに、スイッチ７０４の他方の出力７０４ｃにはスイッチ７０７の共通端子７０７ａが接続され、このスイッチ７０７の一方の端子７０７ｂと出力端子７０５との間にＶＨＦハイバンド用の整合器７０８が挿入されるとともに、該スイッチ７０７の他方の端子７０７ｃと出力端子７０５との間にはＶＨＦ用ローバンド用の整合器７０９が挿入されている。そして、制御部４６の出力はこれらのスイッチ７０４，７０７に供給される構成としてある。
【０２３３】
つまり、それぞれのバンドのチャンネルを受信する場合には、制御部４６は夫々の周波数に応じた整合器のスイッチのみをオンとすることによって、各周波数バンドに対してインピーダンス整合を取ることができる。しかしながらすべての受信チャンネルに対して完全に整合を取ることは困難であるので、整合が取れないチャンネルに対しては信号がロスし、Ｎ／Ｆが悪化する。そこでこのような整合が取れないような周波数のチャンネルに対し、制御部４６は実施の形態５や実施の形態６における高周波増幅器や、中間周波増幅器の利得を、整合器によるロスに応じて大きくする。これにより、Ｎ／Ｆの良い高周波受信装置を実現することができる。
【０２３４】
（実施の形態８）
本実施の形態８について以下図を用いて説明する。図１４は、本発明の実施の形態８における高周波受信装置のブロック図である。実施の形態８では、ＳＡＷフィルタ１３６の通過帯域が存在する周波数域のバラツキが存在しているものを扱っている。
【０２３５】
２０は、１チャンネルの周波数が７つのセグメントに分割された信号を含む地上波デジタル放送信号が入力されるアンテナであり、このアンテナ２０には、約９０ＭＨｚから約７７０ＭＨｚまでの周波数が入力される。なお、この周波数帯域内にはアナログＴＶ信号と、このアナログＴＶ信号の間にデジタルＴＶ放送信号が挿入されて配列されている。
【０２３６】
１７２は、アンテナ２０に接続された広帯域な高周波増幅器であり、前記アンテナ２０に入力された信号を増幅するものである。１７３は、高周波増幅器１７２の出力が一方の入力に接続されるとともに、他方の入力には局部発振器１７４の出力が接続され、第１の中間周波数を出力する混合器である。この第１の中間周波数は入力信号の最大周波数の約１．５倍の略１２０５ＭＨｚと高い周波数にしている。が、これは放送信号の高調波歪等による妨害や携帯電話からの妨害が起こりにくくするためである。
【０２３７】
１３６は、混合器１７３の出力が接続されたＳＡＷフィルタ（狭帯域フィルタの一例として用いた）である。このＳＡＷフィルタ１３６は、中間周波数が略１２０５ＭＨｚで通過帯域が略１．６ＭＨｚとしている。ところがこのＳＡＷフィルタの中間周波数が１２０５ＭＨｚと非常に高いので、その通過帯域のバラツキは大きくなる。
【０２３８】
１８０，１８２は、ＳＡＷフィルタ１３６の出力が一方の入力に接続されるとともに、他方の入力には局部発振器１８１の出力が接続され、位相が互いに９０°異なる２つの略５００ｋＨｚの第２の中間周波数を出力する混合器である。従って、直接的にＩ，Ｑ信号を抽出することができる。
【０２３９】
８２１ａ，８２１ｂは、混合器１８０，１８２の出力が接続されたローパスフィルタである。このローパスフィルタ８２１ａ，８２１ｂは、１セグメントの信号のみが通過できるように約４２９ｋＨｚの通過帯域を有したフィルタであり、チップコンデンサとチップインダクタによって構成されている。
【０２４０】
３７は、ローパスフィルタ８２１ａ，８２１ｂの出力が接続された復調器であり、この復調器３７では、前記ローパスフィルタ８２１ａ，８２１ｂからのＩ信号、Ｑ信号からＯＦＤＭ復調を行い、デジタル信号を得ている。そして４０は、この復調器３７の出力が接続された誤り訂正器であり、この誤り訂正器４０の出力が端子４１に接続されている。ここで誤り訂正器４０は、復調器３７の出力に接続されたビタビ訂正器４２と、このビタビ訂正器４２の出力が接続されたリードソロモン訂正器４３とから構成されている。ここで、受信周波数帯域内に妨害波が存在すると、ビット誤り訂正器４０の訂正によって出力信号のビット誤り率を０とすることができず、元の情報を完全に再生することができなくなるので、ビット誤り率が悪くならないように妨害信号を減衰させることが重要である。
【０２４１】
次に、８２３は前記局部発振器１７４にループ接続されたＰＬＬ回路８１１と、前記局部発振器１８１にループ接続されたＰＬＬ回路８１２と、ＰＬＬ回路８１１およびＰＬＬ回路８１２にＰＬＬデータを送出するＰＬＬデータ送出器である。
【０２４２】
８２４は、ＰＬＬデータ送出器８２３に接続されるとともに、記憶部８２５からの出力に接続して設けられた制御部である。この制御部８２４は、記憶部８２５に記憶されたデータに応じて、第１の中間周波数を予め定められた約１２０５ＭＨｚの周波数から変化させるためにＰＬＬデータ送出器８２３にデータを送出するものである。
【０２４３】
本実施の形態８においてはＰＬＬデータ送出器８２３と制御部８２４とは一つのマイコン８２８内に収められているので、高周波受信装置を小型化することができる。
【０２４４】
８２６ａ，８２６ｂは記憶部８２５に設けられたスイッチであり、このスイッチ８２６ａ，８２６ｂのオン、またはオフの状態によって４つの状態を記憶するようにしてある。なお本実施の形態８においてはスイッチ８２６ａ，８２６ｂはプリント基板のパターンで形成し、このパターンを切断することによって状態の記憶をさせている。従って、記憶部８２５の記憶はパターンを切断することで機械的に記憶することとなるので、長期間の停電や落雷などに対しても、記憶が消失することはない。
【０２４５】
４５は、制御部８２４と誤り訂正器４０との間に挿入されて接続された判定部である。そしてこの判定部４５はビット誤り率が０．０００２を超えたと判定した場合に、制御部８２４にＰＬＬデータ送出器８２３のデータを変更するように制御する指示を与えるものである。
【０２４６】
以降、本実施の形態８において、ＳＡＷフィルタ１３６に通過帯域の周波数のバラツキが存在する場合（通過帯域周波数が高くなると周波数域のバラツキが大きくなる）に対しての動作について説明する。
【０２４７】
第１の中間周波数を固定すると、ＳＡＷフィルタ１３６のバラツキにより、隣接チャンネルのアナログ放送波がＳＡＷフィルタにより減衰できない場合が存在する。つまり、図１５に示されるようにアンテナ２０に地上波デジタル放送信号８６２の最端セグメント８６３ａおよびアナログＴＶ放送波信号８６０が同時に入力されることがあり、このような場合には、ＰＬＬデータ送出器により、局部発振器３の発振周波数を微小量移動させ、第１の中間周波数を微小量移動させるものである。
【０２４８】
そして、例えばＳＡＷフィルタ１３６の出力でセグメント８６３ａおよびアナログ放送波信号８６０の音声信号８６０ｂの信号レベルを観察し、音声信号８６０ｂの信号レベルが予め設定されたレベルまで減衰した時の局部発振周波数の移動量を予め設定された制御部８２４の設定分類に合わせてプリント基板のパターンで構成されたスイッチ８２６ａ，８２６ｂのどれかを切断しその状態を記憶させる。もちろん切断しない場合もある。
【０２４９】
図１６に第１の中間周波数の移動状況の一例を示す。図１６において、（ａ）はセグメント８３２を選局し、第１の中間周波数を８３９ａとした時（例えば１２０５ＭＨｚ）であり、隣接アナログ放送の搬送波８３３がＳＡＷフィルタ１３６の通過帯域８３７内に入っているため、隣接アナログ放送の搬送波８３３を減衰させることができない。
【０２５０】
（ｂ）は同じくセグメント８３２を選局し、第１の中間周波数を８３９ｂ＝８３９ａ＋Δｆ１に移動した時を示す。この時はまだ隣接アナログ放送の搬送波８３３はＳＡＷフィルタ１３６の減衰域８３７ｂに近づいているがまだ充分ではない。
【０２５１】
（ｃ）はさらに第１の中間周波数を移動し、８３９ｃ＝８３９ａ＋Δｆ２に移動した時を示す。この時は隣接アナログ放送の搬送波８３３がＳＡＷフィルタ１３６の減衰域８３７ｂに入っているので隣接アナログ放送の搬送波８３３を減衰させることができる。これにより、前記Δｆ２の移動量はＳＡＷフィルタ１３６の通過帯域周波数のバラツキに応じて変動することとなる。
【０２５２】
図１８は、本発明の実施の形態８における、制御部の論理表であり、Δｆ２とスイッチ８２６ａ，８２６ｂの切断による予め決めた状態設定表の一例を示している。すなわち、Δｆ２は上記で観測された周波数の移動量であり、Δｆ２は観測されたＳＡＷフィルタの通過帯域周波数のバラツキにより、様々な値をとることとなる。スイッチ８２６ａ（ＳＷ２６ａ）、スイッチ８２６ｂ（ＳＷ２６ｂ）はΔｆ２の範囲を予め設定し、Δｆ２の予め決められた範囲毎に論理を決めたものである。Δｆ３はスイッチ８２６ａ、スイッチ８２６ｂの論理状態毎に予め決められた一定の周波数移動量であり、制御部８２４はΔｆ３の周波数移動をＰＬＬデータ送出器に指示する。指示する方法は制御部８２４からのデジタルデータにより、マイコン等でＰＬＬデータ送出器のＰＬＬデータを変更すればよい。例えばΔｆ２＝１７０ｋＨｚとすると、スイッチ８２６ａを論理“０”にし、スイッチ８２６ｂを論理“１”にするべく、スイッチ８２６ｂのパターンを切断して受信装置として完成させる。
【０２５３】
そして、この高周波受信装置を使用して地上波デジタル放送を受信する時は、制御部８２４からΔｆ３＝１５０ｋＨｚの移動量を指示し、ＰＬＬデータ送出器８２３は局部発振器３の発振周波数を前記第１の中間周波数が１２０５ＭＨｚ＋１５０ｋＨｚになるように制御する。この時、制御部８２４からの１５０ｋＨｚの移動量指示に基づきＰＬＬデータ送出器８２３は局部発振器１７４の発振周波数を１５０ｋＨｚ移動させ、混合器１８０，１８２の出力である第２の中間周波数が一定になるようにも働く。
【０２５４】
次に、図１７に、図１６における（ｃ）の時の状態を３種類のＳＡＷフィルタ通過帯域と第１の中間周波数の周波数設定例として示す。図１７において、（ｄ）の場合は第１の中間周波数８３９ｄが制御部８２４の入力を例えばデジタル信号（０，１）にした時の周波数、（ｅ）の場合は第１の中間周波数８３９ｅが制御部８２４の入力を例えばデジタル信号（１，０）にした時の周波数、（ｆ）の場合は第１の中間周波数８３９ｆが制御部８２４の入力を例えばデジタル信号（０，０）にした時の周波数となる。
【０２５５】
なお、本実施の形態において、記憶部８２５はパターンを切断することで状態を記憶したが、これはメモリ等の電気的あるいは電気磁気的な記憶媒体を用いて記憶しても良い。この場合予めパターンを切断しておく必要はなく、購入者が購入後でも記憶部の内容を書き換えることができるので、例えばチャンネルサーチ等を行うと同時に、ＳＡＷフィルタ１３６あるいは検知器判定器４５からの出力でセグメント８６３ａおよびアナログ放送波信号８６０の音声信号８６０ｂの信号レベルを観察し、その結果によって記憶部８２５へ情報を記憶させてやることもできる。
【０２５６】
以上の構成により、ＳＡＷフィルタ１３６の通過帯域の周波数がバラツキに係わらず、常に妨害波をＳＡＷフィルタ１３６の減衰域になるように制御することができるので、妨害波の減衰量が大きくなり、第２の混合器の後にはＳＡＷフィルタを使用する必要はなく、減衰量の小さいローパスフィルタで充分である。従って、高周波受信装置の小型化と低価格化を図ることができるという効果を有するものである。
【０２５７】
なお、本実施の形態においては、ビット誤り率によって判定しているので、判定器の判定結果に応じて制御部８２４がＰＬＬデータ送出器８２３に移動周波数のデータを送れば良く、別途妨害信号のレベルなどを検知するための回路を設ける必要はないので、安価な高周波受信装置を得ることができる。
【０２５８】
また、狭帯域フィルタが温度特性を有し、温度によってその通過周波数帯域が変化するような場合に対しても、狭帯域フィルタの温度による変化に係わらず妨害波をＳＡＷフィルタの減衰域になるように制御することができるので、妨害波の減衰量が大きくなり、第２の混合器の後にはＳＡＷフィルタを使用する必要はなく、減衰量の小さいローパスフィルタで充分である。従って、高周波受信装置の小型化と低価格化を図ることができる。
【０２５９】
さらに本実施の形態においてはＰＬＬデータ送出器８２３と制御部８２４とは１つのマイコン８２８内に収め、記憶部８２５の出力をマイコン８２８に接続し、このマイコン８２８の出力をＰＬＬ回路８１１，８１２のデータ端子に接続している。しかし、これは復調器３７のデータ端子とマイコンのデータ端子を共通データバスで接続し、この共通データバスを利用してデータの送受を行い、復調器３７のデータ出力端子（図示せず）を介してＰＬＬ回路８１１，８１２へデータを送出しても良い。この場合共通データバスを利用しているので、データのやり取りにおける配線等を容易にすることができる。なお、この場合復調器３７とＰＬＬ回路８１１，８１２との間についても共通データバスとし、データの送信を行っても良い。
【０２６０】
（実施の形態９）
以下、本発明の実施の形態９について、図面に基づいて説明する。図１９は、本発明の実施の形態９における高周波受信装置のブロック図である。本発明は携帯テレビと携帯電話１０４２（通信装置の一例として用いた）とが一体の筐体内に収められた機器において、地上波デジタル放送信号を受信する高周波受信装置に関するものである。
【０２６１】
そしてまず、携帯電話１０４２はアンテナ１０４４に接続されたアンテナスイッチ１０４５と、このアンテナスイッチ１０４５の一方の端子に接続されたＳＡＷフィルタ１０４６と、このＳＡＷフィルタ１０４６の出力が接続された低雑音増幅器１０４７と、この低雑音増幅器１０４７の出力が一方の入力に接続されるとともに、他方の入力には局部発振器１０４８の出力が接続された混合器１０４９と、この混合器１０４９の出力が接続された復調器１０５０と、この復調器１０５０の出力が接続された音声出力器（出力スピーカ又はレシーバ、通信装置出力器の一例として用いた）１０５１と、音声を電気信号に変換する音声入力器（マイクロフォン、通信装置入力器の一例として用いた）１０５２と、この音声入力器１０５２の出力が接続された変調器１０５３と、この変調器１０５３の出力が一方の入力に接続されるとともに、他方の入力には局部発振器１０４８の出力が接続された混合器１０５４と、この混合器１０５４の出力が接続された電力増幅器１０５５と、この電力増幅器１０５５の出力とアンテナスイッチ１０４５の他方の端子との間に接続されたローパスフィルタ１０５６と、前記局部発振器１０４８にループ接続されたＰＬＬ回路１０５７とから構成されている。
【０２６２】
また、携帯テレビ１０４３は、地上波デジタル信号が入力されるアンテナ２０と、このアンテナ２０に接続された高周波増幅器１７２と、この高周波増幅器１７２の出力が一方の入力に接続されるとともに、他方の入力には局部発振器１７４の出力が接続された混合器１７３と、この混合器１７３の出力が接続されたバンドパスフィルタ１３６と、このバンドパスフィルタ１３６の出力が一方の入力に接続されるとともに、他方の入力には局部発振器１３８の出力が接続された混合器１３７と、この混合器１３７の出力が接続されたバンドパスフィルタ１６７と、このバンドパスフィルタ１６７の出力が接続された復調器３７と、この復調器３７の出力に接続された誤り訂正器４０と、この誤り訂正器４０の出力が供給される画像表示器（液晶ディスプレイ又はブラウン管等）１０６９と、誤り訂正器４０の出力が供給された音声出力器１０７０と、前記局部発振器１７４にループ接続されたＰＬＬ回路１０７１と、前記局部発振器１３８にループ接続されたＰＬＬ回路１０７２とから構成されている。なお、バンドパスフィルタ１６７は１セグメントの信号のみを通過させる働きを有する。
【０２６３】
また、１０７３はデータ生成器であり、ＰＬＬ回路１０５７に接続されて携帯電話１０４２の受信や送信の周波数を変えるものである。１０７４はデータ生成器であり、ＰＬＬ回路１０７１とＰＬＬ回路１０７２に接続されて携帯テレビ１０４３の受信周波数（受信チャンネル）を変えるものである。また、このデータ生成器１０７３と１０７４はデータ比較器１０７５に接続されてデータ内容が比較される。そしてその出力は制御部１０７６に接続されており、データ比較器１０７５の内容に基づいて、データ生成器１０７３とデータ生成器１０７４にデータを出力して携帯電話１０４２と携帯テレビ１０４３とがお互いに妨害とならないようにする。即ち、局部発振器１０４８或いは局部発振器１０６２の発振周波数の両方或いは一方を微小量変化させる。なお、局部発振器１０６２の発振周波数を変えれば、それを補正するために局部発振器１０６５の発振周波数も変えて第２の中間周波数を一定の値（４ＭＨｚ）にしている。
【０２６４】
なお、誤り訂正器４０の出力は判定器４５に接続され、この判定器４５の出力が制御部１０７６へ供給されている。これにより、判定器はビット誤り率が０．０００２以上となった場合に、制御部１０７６へ各ＰＬＬ回路１０５７や１０７１，１０７２の制御を行うように指示を行う。
【０２６５】
以下、制御部１０７６の働きを図２０、図２１を用いて説明する。携帯電話１０４２、携帯テレビ１０４３の発振周波数が近い場合にお互いに妨害を与えることになる。この場合、局部発振器１０４８の発振周波数を変えても良いし、又は局部発振器１７４の発振周波数を変えても良い。
【０２６６】
図２０において、局部発振器１７４の発振周波数を中心に説明する。即ち、局部発振器１７４の出力１０８０の近傍に妨害波１０８１が生じたとする。この場合、妨害波１０８１の原因は、局部発振器１０４８の発振周波数である。従って、局部発振器１０４８の発振周波数を微小量変化させて出力１０８０と妨害波１０８１の周波数差を１０ＫＨｚ以上になるようにする。このことにより、携帯テレビ１０４３の局部発振器１７４の発振純度が向上し、Ｃ／Ｎは向上するとともに、受信エラーが低減する。なお、妨害波１０８１の発生する原因として、局部発振器１７４の発振周波数と局部発振器１０４８の発振周波数とが近い（１０ＫＨｚ以下）場合と、局部発振器１７４の発振周波数と電力増幅器１０５５の出力周波数とが近い（１０ＫＨｚ以下）場合とがある。ここで、局部発振器１７４の発振周波数と電力増幅器１０５５の出力周波数とが近い（１０ＫＨｚ以下）場合は、局部発振器１０４８の発振周波数はそのままで、局部発振器１７４自身の発振周波数を微小量変化させても良い。ここで、横軸１０８３は周波数（ＭＨｚ）、縦軸１０８４はレベル（ｄＢ）である。
【０２６７】
また、局部発振器１０４８の発振周波数が携帯テレビ１０４３の受信希望チャンネルの周波数に近い（１０ＫＨｚ以下）の場合は、携帯テレビ１０４３へのスプリアス妨害を低減させるため、局部発振器１０４８の発振周波数を微小量変化させる必要がある。
【０２６８】
次に図２１において、局部発振器１０４８の発振周波数を中心に説明する。即ち、局部発振器１０４８の出力１０８５の近傍に妨害波１０８６が生じたとする。この場合、妨害波１０８６の原因は局部発振器１７４の発振周波数である。従って、局部発振器１７４の発振周波数を微小量変化させて出力１０８５と妨害波１０８６の周波数差を１０ＫＨｚ以上になるようにする。このことにより、携帯電話１０４２の局部発振器１０４８の発振純度が向上し、携帯電話１０４２に雑音が入ったり、最悪の場合通話不能になることを防止することができる。なお、妨害波１０８６の発生する原因として、局部発振器１０４８の発振周波数と局部発振器１７４の発振周波数とが近い（１０ＫＨｚ以下）場合である。ここで、横軸１０８７は周波数（ＭＨｚ）、縦軸１０８８はレベル（ｄＢ）である。
【０２６９】
また、局部発振器１７４の発振周波数が携帯電話１０４２の受信周波数に近い（１０ＫＨｚ以下）場合は、携帯電話１０４２へのスプリアス妨害を低減させるため、局部発振器１７４の発振周波数を微小量変化させる必要がある。
【０２７０】
このように、発振周波数の出力１０８０又は１０８５の近傍に妨害波の出力１０８１又は１０８６があると図２２の点線１０８９に示すように波形１０９０の純度が低下する。従って、このような場合においては、局部発振器１０４８と局部発振器１７４の何れか、或いは双方の発振周波数を微小量ずつ変化させて周波数純度を向上させる。ここで、横軸１０９１は周波数（ＭＨｚ）、縦軸１０９２はレベル（ｄＢ）である。
【０２７１】
次に、本実施の形態９で使用する電波の周波数は以下の通りである。即ち、携帯テレビ１０４３のアンテナ２０に入力されるデジタル地上波信号は、ＶＨＦ帯（９０ＭＨｚ〜２２０ＭＨｚ）とＵＨＦ帯（４７０ＭＨｚ〜７７０ＭＨｚ）とからなり、携帯電話１０４２の使用周波数は、ＰＤＣの１．５ＧＨｚ帯（１２７０ＭＨｚ〜１５００ＭＨｚ）とＷＣＤＭＡ帯（１９２０ＭＨｚ〜２１７０ＭＨｚ）とからなる。
【０２７２】
また、デジタル地上波信号１１００は図２３に示すように、１チャンネル１１０１（１チャンネル幅は６ＭＨｚ）中が１３個のセグメント１１０３（１つのセグメント幅は４２８ＫＨｚ）に分割されている。そしてＶＨＦ帯では基本的に各々のセグメント１１０３には独立した放送が送信されている。また、ＵＨＦ帯では基本的に中央のセグメントが他のセグメントから独立した放送が送信されている。
【０２７３】
また、このデジタル地上波信号１１００が混合器１０６３で略１２０５ＭＨｚの第１の中間周波数に変換される。そして、帯域幅１１０４（１．５ＭＨｚ）のバンドパスフィルタ６４により、希望波１１０３ｂを中心にして略３つのセグメント１１０３ａ，１１０３ｂ，１１０３ｃが選ばれて通過する。ここで、局部発振器６２の発振周波数を１０ＫＨｚずらすと１１０５に示すように、セグメント１１０３ａと１１０３ｂと１１０３ｃの周波数も１０ＫＨｚずれる。次に、混合器１３７で略４ＭＨｚの第２の中間周波数に変換される。そしてこのとき第１の中間周波数を先に１０ＫＨｚずらしたので、第２の中間周波数ではその分逆方向に１１０７に示すように１０ＫＨｚ戻して４ＭＨｚにする。そして、帯域幅１１０６（４２８ＫＨｚ）のバンドパスフィルタ１０６７により、希望波１１０３ｂが選ばれて通過する。
【０２７４】
また、図２４に示すようにセグメント１１０３中に局部発振器１０４８の出力１０８５がある場合は、局部発振器１０４８の周波数を２分の１セグメント分高くするか、或いは低くすれば、局部発振器１０４８の出力１０８０がセグメントに妨害を与えることはない。
【０２７５】
以上のような制御を制御部１０７６で行うことにより、局部発振器１７４から出力される発振周波数は、アンテナスイッチ１０４５の一方の端子へ入力される周波数（携帯電話への受信周波数）や電力増幅器１０５５から出力される周波数（携帯電話の送信周波数）及び局部発振器１０４８から出力される周波数と異なる周波数にすることができる。
【０２７６】
さらに、これらの制御は判定器４５がそのビット誤り率が０．０００２以上であると判定した場合にのみ制御する構成としている。これによりビット誤り率が０．０００２を超えた場合にのみ制御電流が消費され、使用電力を少なくすることができる。これは高周波受信装置を特にバッテリにより駆動される携帯機器に用いる場合に重要となる。画面が固定のテレビ受像機に比べて小さいので、特に本実施の形態９のように携帯電話に高周波受信装置を搭載する場合も、ノイズなどによる少々の画面欠損よりも消費電力をいかに小さくするかが問題となる。そこで本実施の形態においては上記の構成によって、ビット誤り率が悪化した場合にのみ制御電流を消費する構成としてあるので、バッテリで長時間駆動することができる。
【０２７７】
さらになお局部発振器１７４の発振周波数を制御することにより、従来のように、携帯電話と携帯テレビとの間に、夫々単独の携帯電話或いは携帯テレビに設けられた個別のシールドとは別に特別のシールド板を設ける必要はない。即ち、局部発振器１７４の発振周波数が携帯電話１０４２に妨害を与えることはなく、小型化を図ることができる。従って、特別のシールド板がなくとも携帯電話１０４２に雑音が入ることはない。
【０２７８】
また、局部発振器１０４８の出力や電力増幅器１０５５の出力が局部発振器１０６２に妨害を与えることもないので、携帯テレビ１０４３のＣ／Ｎが悪くなってエラーが増加するようなこともない。
【０２７９】
【発明の効果】
以上のように本発明によれば、予め定められた誤り率以上か、以下かを判定する判定部と、この判定部の出力が接続されるとともに前記判定部の判定結果に基づいて、各部を制御する制御部とを備え、前記制御部は前記複数個ある各部のいずれかを選択的に制御して、前記判定部での誤り率を低下させる高周波信号受信装置において、前記複数個ある各部のうち誤り率が安定状態になる速度の速いものから順次制御するものであり、これにより、誤り率の改善度を向上し、誤り率の小さい高周波信号受信装置を得ることが可能となる。
【０２８０】
また、受信する高周波信号がデジタルテレビ放送である場合に、受信信号データの誤り率の低下による画像のブロックノイズが発生しにくくなるので、きれいな画質の放送を受信することが可能になる。
【０２８１】
なお、一般的に固定のテレビ受信機は、テレビ受信機もアンテナも移動させないので、アンテナにおいては非常に受信感度の高いアンテナを設置することができた。しかも、その電波状態は比較的安定していたので、アンテナや選局部は単体でほぼ最適に設定されており、復調部のみを制御することで充分であった。
【０２８２】
しかし、移動体や携帯機器においては、ビル陰とか移動に伴うテレビ中継局からの距離に応じて、その電波状態は刻々と変化することとなり、その変化に対して柔軟かつ素早く対処することが必要となる。そこで、本発明の高周波受信装置は、このような新たな用途に対しての課題を解決するものであり、複数個ある各部のいずれかを選択して制御することによって、誤り率の改善できる幅の向上ができるものである。
【０２８３】
さらに言えば、本発明の高周波受信装置における制御部が、誤り率が予め定められた値以上であることの判定部の判定に基づき、複数個ある各部を制御することを特徴としている。
【０２８４】
従って、本発明の高周波受信装置は、誤り率の判定結果に基づき、アンテナから復調部までの高周波受信装置トータルとして、誤り率を改善するので、さまざまな誤り率の悪化要因に対して誤り率を改善することができるものである。
【０２８５】
もちろん、本発明の高周波受信装置を一般の固定のテレビ受信機等に用いても良い。
【０２８６】
そして複数個ある各部のうち、誤り率が安定状態になる速度の速いものから順次制御するので、これにより早く誤り率の改善をすることができるので、誤り率の低下により発生した画面のブロックノイズを素早く直すことができる。従ってブロックノイズによる画像の欠落時間を短くすることができ、たとえ画面の欠落等があったとしても、それを認識できない程度にまで改善することができる。
【図面の簡単な説明】
【図１】  本発明の一実施の形態における高周波信号受信装置のブロック図
【図２】  実施の形態２における高周波受信装置へ入力される信号の模式図
【図３】  実施の形態２における高周波受信装置のブロック図
【図４】  実施の形態２における高周波増幅器の特性図
【図５】  実施の形態２における中間周波増幅器の特性図
【図６】  実施の形態３における高周波受信装置のブロック図
【図７】  実施の形態４における高周波受信装置のブロック図
【図８】  実施の形態５における高周波受信装置のブロック図
【図９】  実施の形態６における高周波受信装置のブロック図
【図１０】  実施の形態６における高周波増幅器の特性図
【図１１】  同、特性図
【図１２】  同、特性図
【図１３】  実施の形態７における高周波受信装置のブロック図
【図１４】  実施の形態８における高周波受信装置のブロック図
【図１５】  同、高周波受信装置へ入力される高周波信号の模式図
【図１６】  同、高周波受信装置における中間周波数移動の図
【図１７】  同、高周波受信装置における中間周波数移動の図
【図１８】  同、論理表を示す図
【図１９】  実施の形態９における高周波受信装置のブロック図
【図２０】  同、制御部の動作説明図
【図２１】  同、制御部の動作説明図
【図２２】  同、局部発振器の特性図
【図２３】  同、高周波信号受信器の動作図
【図２４】  同、動作説明図
【図２５】  従来の高周波信号受信装置のブロック図
【符号の説明】
２０  アンテナ
２２  選局部
３７  復調部
４０  誤り訂正部
４１  出力端子
４５  判定部
４６  制御部
【図１】
0003906792.tif 000002
【図２】
0003906792.tif 000003
【図３】
0003906792.tif 000004
【図４】
0003906792.tif 000005
【図５】
0003906792.tif 000006
【図６】
0003906792.tif 000007
【図７】
0003906792.tif 000008
【図８】
0003906792.tif 000009
【図９】
0003906792.tif 000010
【図１０】
0003906792.tif 000011
【図１１】
0003906792.tif 000012
【図１２】
0003906792.tif 000013
【図１３】
0003906792.tif 000014
【図１４】
0003906792.tif 000015
【図１５】
0003906792.tif 000016
【図１６】
0003906792.tif 000017
【図１７】
0003906792.tif 000018
【図１８】
0003906792.tif 000019
【図１９】
0003906792.tif 000020
【図２０】
0003906792.tif 000021
【図２１】
0003906792.tif 000022
【図２２】
0003906792.tif 000023
【図２３】
0003906792.tif 000024
【図２４】
0003906792.tif 000025
【図２５】
0003906792.tif 000026